(57)【要約】  本明細書では、ヘアトリートメント適用システム（１０）及びその使用方法が開示される。ヘアトリートメント適用システム（１０）は、約３００ミクロン〜約３，０００ミクロンの特定のメジアン細孔半径を有する少なくとも１つの吸収性基材（３０）と、それぞれ約３Ｐａ．ｓ（３，０００ｃＰｓ）〜約１５０Ｐａ．ｓ（１５０，０００ｃＰｓ）の粘度を有する１つ以上のヘアトリートメント組成物（１５）との組合せを含む。本発明に従うヘアトリートメント適用システム（１０）は、ヘアトリートメント組成物（１５）、特に組成物の簡単で、扱いにくくなく、正確な適用を可能にする。
2010505502.tif 000002
【特許請求の範囲】
【請求項１】
ヘアトリートメント適用システム（１０）であって、
−少なくとも１つの吸収性基材（３０）と、
−１つ以上のヘアトリートメント組成物（１５）と
を含み、
前記少なくとも１つの吸収性基材（３０）は、３００ミクロン〜３，０００ミクロンのメジアン細孔半径を有し、
前記１つ以上のヘアトリートメント組成物（１５）はそれぞれ、３Ｐａ．ｓ（３，０００ｃＰｓ）〜１５０Ｐａ．ｓ（１５０，０００ｃＰｓ）の粘度を有し、前記粘度は、前記１つ以上のヘアトリートメント組成物（１５）を前記少なくとも１つの吸収性基材（３０）に適用する前に測定される、ヘアトリートメント適用システム。
【請求項２】
前記少なくとも１つの吸収性基材（３０）は、吸収性基材１グラム当たり液体１０〜８０グラムの吸収能力を有する、請求項１に記載のヘアトリートメント適用システム。
【請求項３】
前記少なくとも１つの吸収性基材（３０）は、４００ミクロン〜２，５００ミクロン、好ましくは４５０ミクロン〜２，０００ミクロン、より好ましくは５００ミクロン〜１，８００ミクロンのメジアン細孔半径を有し、前記１つ以上のヘアトリートメント組成物（１５）はそれぞれ、５Ｐａ．ｓ（５，０００ｃＰｓ）〜１２５Ｐａ．ｓ（１２５，０００ｃＰｓ）、好ましくは７Ｐａ．ｓ（７，０００ｃＰｓ）〜１００Ｐａ．ｓ（１００，０００ｃＰｓ）、より好ましくは９Ｐａ．ｓ（９，０００ｃＰｓ）〜８５Ｐａ．ｓ（８５，０００ｃＰｓ）の粘度を有し、前記粘度は、前記１つ以上のヘアトリートメント組成物（１５）が前記少なくとも１つの吸収性基材（３０）に適用される前に測定される、請求項１又は２に記載のヘアトリートメント適用システム。
【請求項４】
前記少なくとも１つの吸収性基材（３０）は、基材１グラム当たり液体１５〜７５グラム、好ましくは吸収性基材（３０）１グラム当たり液体２０〜７０グラム、更により好ましくは２５〜６５グラムの吸収能力を有する、請求項３に記載のヘアトリートメント適用システム。
【請求項５】
前記少なくとも１つの吸収性基材（３０）は、不織布及び多孔質発泡体から選択される、請求項１〜４のいずれか一項に記載のヘアトリートメント適用システム。
【請求項６】
前記ヘアトリートメント適用システム（１０）は、第１吸収性基材（３０）及び第２吸収性基材（３０）を含み、前記第１吸収性基材は、第１ヘアトリートメント組成物（１５）を含むためのものであり、前記第２吸収性基材（３０）は、第２ヘアトリートメント組成物（１５）を含むためのものである、請求項１〜６のいずれか一項に記載のヘアトリートメント適用システム。
【請求項７】
前記ヘアトリートメント適用システム（１０）は、適用ツール（２０）を更に含む、請求項１〜６のいずれか一項に記載のヘアトリートメント適用システム。
【請求項８】
前記適用ツール（２０）は、１つのプレート（２２）、好ましくは２つのプレート、より好ましくは２つの相互連結されているプレート（２２）、更により好ましくはヒンジ（５０）によって連結されている２つのプレート（２２）を含む、請求項７に記載のヘアトリートメント適用システム。
【請求項９】
前記適用ツール（２０）は、ヒンジ（５０）によって連結されている２つのプレート（２２）を含み、少なくとも１つの吸収性基材（３０）は、前記２つのプレート（２２）の少なくとも１つに取り付けられる、請求項８に記載のヘアトリートメント適用システム。
【請求項１０】
前記毛髪と、請求項１〜９のいずれか一項に記載の前記ヘアトリートメント適用システム（１０）とを接触させる工程を含む、ヘアトリートメント方法。
【請求項１１】
少なくとも１つ以上のヘアトリートメント組成物（１５）は、前記毛髪に供給される、請求項１０に記載の方法。
【請求項１２】
前記少なくとも１つ以上のヘアトリートメント組成物（１５）は、前記毛髪と、前記ヘアトリートメント適用システム（１０）とを接触させる前に、前記少なくとも１つの吸収性基材（３０）に充填される、請求項１０又は１１に記載の方法。
【請求項１３】
前記混合されたヘアトリートメント組成物（１５）が、前記少なくとも１つの吸収性基材（３０）に充填される前に、少なくとも２つのヘアトリートメント組成物（１５）は、混合される、請求項１２に記載の方法。
【請求項１４】
前記１つ以上のヘアトリートメント組成物（１５）は、シャンプー組成物、コンディショニング組成物、スタイリング組成物、毛髪着色剤組成物、毛髪漂白組成物、ハイライト組成物、及びこれらの組合せからなる群から選択される、請求項１０〜１３のいずれか一項に記載の方法。
【請求項１５】
前記ヘアトリートメント適用システム（１０）は、第１吸収性基材（３０）及び第２吸収性基材（３０）を含み、前記第１吸収性基材（３０）は、第１ヘアトリートメント組成物（１５）を含み、前記第２吸収性基材（３０）は、第２ヘアトリートメント組成物（１５）を含み、前記第１ヘアトリートメント組成物（１５）及び第２ヘアトリートメント組成物（１５）は、前記ヘアトリートメント組成物（１５）の毛髪への適用前に、前記第１吸収性基材（３０）及び第２吸収性基材（３０）を少なくとも１回、好ましくは２回以上、共に圧搾することによって混合される、請求項１０〜１４のいずれか一項に記載の方法。
【請求項１６】
前記第１ヘアトリートメント組成物（１５）は、酸化剤を含み、前記第２ヘアトリートメント組成物（１５）は、アルカリ化剤を含む、請求項１３又は１５に記載の方法。
【請求項１７】
請求項１〜９のいずれか一項に記載のヘアトリートメント適用システム（１０）を含むキット。
【請求項１８】
ａ．酸化剤を含む個々に包装された組成物と、
ｂ．アルカリ化剤を含む個々に包装された組成物と
を更に含む、請求項１７に記載のキット。
【請求項１９】
前記アルカリ化剤は、過硫酸塩を含む、請求項１８に記載のキット。
【請求項２０】
前記キットは、シャンプー組成物、コンディショニング組成物、スタイリング組成物、毛髪着色剤組成物、毛髪漂白組成物、ハイライト組成物、及びこれらの組合せからなる群から選択される、少なくとも１つの追加の個々に包装された組成物を更に含む、請求項１７〜１９のいずれか一項に記載のキット。
【請求項２１】
前記キットは、前記個々に包装された組成物を混合する及び／又は前記個々に包装された組成物を前記少なくとも１つの吸収性基材（３０）に充填するための手段を更に含む、請求項１７〜２０のいずれか一項に記載のキット。
【請求項２２】
前記キットの一部は、前記ヘアトリートメント適用システム（１０）の使用の説明書を更に含む、請求項１７〜２１のいずれか一項に記載のキット。
【発明の詳細な説明】
【技術分野】
【０００１】
本発明は、ケラチン性繊維へ化粧品組成物の迅速で、容易で、扱いにくくない、目標をしぼった適用を可能にする適用デバイスに関し、好ましくは本発明は、毛髪へのヘアトリートメント組成物の適用を目的とする。
【背景技術】
【０００２】
自己で適用するヘアトリートメント組成物は、それらがコンディショニング若しくはスタイリング組成物、日焼け止め保護組成物、ハイライト及びローライト（high and low lighting）、着色、漂白、パーマ、又はいわゆる特別な「パーティ」効果組成物のいずれであっても、消費者にとって非常に望ましい。これらのヘアトリートメント適用の中でも、例えばハイライト又はカラーストリーク（colour-streaks）のような特定のストランドに目標をしぼったヘアトリートメント組成物は、それらの毛髪の一部のみを変える機会を提供するので、毛髪着色分野への理想的な参入経路として消費者に認められる。ゆえに、それは危険性が低いと考えられ、技術に慣れ親しみ、得られる効果を最適化する機会を消費者に与える。更に、消費者は、ハイライトが、微妙な多色調効果及び天然色変化から、よりはっきりした大胆な効果まで、様々な見た目を作り出すための機会を提供するとも考えている。
【０００３】
しかし、多くの技術的問題は、手助けなしで自己適用ヘアトリートメント組成物を使用することに関係する。
【０００４】
第１の問題は、染色、ハイライト、及びパーマ組成物の適用のような特定の適用は、手助けなしで満足に実行することが特に困難であるという事実に関する。これらの適用は、それらが作り出す不可逆的効果を考慮すると、慎重にかつ正確に行わなければならない。
【０００５】
別の技術的問題は、これらのヘアトリートメントが実行される毛髪の部分に関連する。例えば、ハイライト及びパーマは、単一の毛髪ストランド上で実行される可能性が高いので、特に選択された毛髪ストランドが、ユーザの顔に近いストランドである場合、不適当な適用が見た目の全体的な外観を変化させる可能性があるので、正確かつ的確な方法で実行されなければならない。加えて、後頭部に適用するためには、ユーザは、どのストランドを処理すべきかを鏡像に基づいて行動し、決定しなければならず、全体的な頭部の見た目の釣り合い（perspective）を失いやすい。
【０００６】
考慮されるべき別の技術的問題は、消費者がこれらのヘアトリートメント組成物を自分自身で適用する場合、ヘアトリートメント組成物の適用がいくらかの扱いにくさをもたらす可能性があることである。
【０００７】
ヘアトリートメント組成物が、消費者が接触したときに不快なものである場合、この欠点は更に拡大される。これは、例えば、漂白、着色、及びパーマ組成物における場合であり、これらの組成物は、家の表面又は消費者の皮膚の上に滴り落ちた場合に染色又は漂白を容易に引き起こし得る。ゆえに、消費者は、ヘアトリートメント組成物を毛髪に正確に適用しなければならず、同時にヘアトリートメント組成物の滴り落ちを回避しなければならない。
【０００８】
これらの自己適用ヘアトリートメント組成物の毛髪への適用を容易にするために、典型的に、こうした製品の製造業社は、消費者にアプリケータを提供する。それでもなお、ヘアトリートメント組成物がアプリケータを通して適用される場合でさえ、アプリケータは保持又は使用が容易でないことが多く、少なくとも満足な結果を得るためには、かなりの訓練、忍耐、及び経験が必要である。
【０００９】
これらのアプリケータは、キャップ・アンド・フック（cap and hook）型デバイス、ブラシ及び櫛様デバイスにわたり、これらは、別個に供給される、又はヘアトリートメント組成物ボトルに取り付けられるように設計されている。これらのアプリケータはいずれも、特に満足できるものではない。キャップ・アンド・フック（cap and hook）方法は、毛髪上に有孔のキャップを置いた後、フック付きの開口を通してヘアトリートメントを施されるべき毛髪ストランドを選択することを消費者に要求する。ブラシ、棒（wand）、及び櫛デバイスは、デバイスに処理組成物を充填した後、選択された毛髪ストランドの長さに沿って適用し、必要に応じて再充填することを消費者に要求する。櫛デバイスは、典型的に所定の量の組成物を充填するためのチャンバを有する。櫛及びボトルデバイスは、毛髪をとかしながら、同時にボトルを圧搾して、処理組成物を放出することを必要とする。これらのアプリケータは、処理される毛髪ストランドの幅を個人的に確定して、それを残りの毛髪から分離することを消費者に要求する。あるいは、所定のストランド幅選択のみが処理されることができ、ストランド分離は必要でないので、任意の変動を妨げる。最終的に、処理しない残りの毛髪と、自己適用ヘアトリートメント組成物とのいかなる汚染が発生することも、非常に望ましくない。
【００１０】
ゆえに、これらのアプリケータは、望ましい、容易で迅速なヘアトリートメント適用を消費者に提供しない。特に問題であるのは、製品を根元領域に適用して、新しく成長した白髪をカバーすること、又は新しい毛髪の着色若しくは漂白を調整することの困難性である。根元ラインの毛髪の全体的な特徴は異なり、頭皮に密接に近接するために、取り扱いが本当に困難である。根元ラインへの的確な配置は、成し遂げるのが困難であり、周辺の毛髪領域の汚染は、一般的な問題である。
【００１１】
更に、またアプリケータは、非常に短い毛髪上でなければ、単一の根元から先端までの組成物の適用を可能にせず、中央の長さで止めて、再充填し、再適用することによって再び適用を始めることを消費者に要求する。
【００１２】
いくらかの消費者は、現在入手可能な製品で達成される最終結果でかなり満足する一方、時間と努力が必要とされることから、多くの消費者はいまだ、所望の結果を達成するためにプロのヘアサロンスタイリストによって提供されるサービスに移行する。
【００１３】
ヘアサロンスタイリストの使用は、消費者が、最終的な見た目の個人的カスタム化を達成することを可能にする。サロンの専門家は、トレーニングと長年の経験にて、意のままに非常に様々な結果の供給を可能にする多くのアプリケータ及び技術を有する。しかし、ヘアサロン環境内でさえ、毛髪ストランド上への処理組成物の特定の適用は、同様に長時間にわたるプロセスである。組成物を正確に適用して、扱いにくさを最小限にするために、消費者は、プロセスを完了するためにサロンで定期的に多くの時間を費やすことが必要である。期待される最終結果を達成するためにスタイリストが費やす長い時間と努力のため、彼らのサービスには非常に高い収益が要求される。これは全ての消費者がその予算にて利用できるわけではないので、家庭適用ハイライト製品は、専門のヘアスタイリストと比較すると、費用に関しても非常に望ましい。
【００１４】
このように、プロサロンと同様に、家庭で容易に、迅速に、及び正確にヘアトリートメント組成物、特に毛髪ハイライト組成物を供給できるヘアトリートメント適用システムを提供する必要性がいまだ存在する。
【００１５】
これらの問題に対処するいくつかの試みが、当該技術分野において既知である。異なる材料の多層から構成される適用物品が、米国特許出願第２００２／０１４２０２７号及び同第２００５／００７９１９２に記載されてきた。米国特許出願第２００２／０１４２０２７号は、人間の体の部分を受容するためのキャビティを含む物品を開示している。キャビティは、少なくとも２つの層の複合構造を有するものと定義されるカバーを有し、その１つは水のような希薄溶媒に浸透しなければならない。接着剤マトリックスは、それらの２層の間に位置し、適用される活性物質を含む。米国特許出願第２００５／００７９１９２号は、化粧品組成物が浸透した物品に関する。物品は、吸収性構造及び接触構造から構成される。接触構造は湿った表面と接触し、片面が湿った表面上に存在する水に浸透性であり、吸収性構造に隣接する面上は疎水性であるという特徴を有する。
【００１６】
化粧品組成物を供給できるスポンジが、ＤＥ  １０２５９０１６に開示されている。こうしたスポンジは、最低限の圧力のみを適用することによって、吸収した組成物の全てを供給するための、吸収能力及び保持能力を有する。
【００１７】
限定されたストランドに毛髪組成物を正確に供給するという技術的問題を解決するための試みが従来技術により様々に提案されており、ヘアトリートメント組成物の滴り落ちを回避するアプリケータ、及び／又はアプリケータの方向とは独立してヘアトリートメント組成物の滴り落ちを回避するアプリケータで、自己適用を可能にしている。
【００１８】
米国特許第６６２６５９９号は、ヘアトリートメント組成物を含有する円筒形状リザーバを含有するアプリケータを開示しており、リザーバは、弾性変形可能な材料がそこに格納される横の開口部を有する。その開口部を通じて、毛髪ストランドは、リザーバ内に収容された組成物と連通する。
【００１９】
ＪＰ  １９９１１７８６３０は、同様の組成物又は異なる組成物を含む２つの袋を取り付けた、ヒンジプレートで連結した２つのプレートを特徴とする毛髪化粧品アプリケータを開示している。各袋は、ヒンジプレートの開閉によって、組成物が放出される穴を含有する。
【先行技術文献】
【特許文献】
【００２０】
【特許文献１】米国特許出願第２００２／０１４２０２７号
【特許文献２】米国特許出願第２００５／００７９１９２
【特許文献３】ＤＥ  １０２５９０１６
【特許文献４】米国特許第６６２６５９９号
【特許文献５】ＪＰ  １９９１１７８６３０
【発明の概要】
【発明が解決しようとする課題】
【００２１】
ゆえに、化粧品組成物、特にヘアトリートメント組成物への適応が可能なアプリケータデバイスの必要性が残り、これは制御されない滴り落ちなしに、異なる受容表面上へのそれらの容易な適用を可能にする。特に、アプリケータデバイスは、毛髪上、特に単一毛髪ストランド又は根元ラインの毛髪上への、ヘアトリートメント組成物の適用を可能にすべきであり、後頭部のような達成するのが困難な頭部の部分への容易な適用も可能にすべきである。
【００２２】
驚くべきことに、以降に定義するようなヘアトリートメント適用システムは、単純な、直観的な、及び扱いにくくない適用を通して、ハイライト結果を著しく改善できることが、見出された。
【課題を解決するための手段】
【００２３】
本発明によると、少なくとも１つの吸収性基材（３０）と、１つ以上のヘアトリートメント組成物（１５）とを含み、少なくとも１つの吸収性基材（３０）は、３００ミクロン〜３，０００ミクロンのメジアン細孔半径を有し、１つ以上のヘアトリートメント組成物（１５）はそれぞれ、３Ｐａ．ｓ（３，０００ｃＰｓ）〜１５０Ｐａ．ｓ（１５０，０００ｃＰｓ）の粘度を有する、ヘアトリートメント適用システム（１０）が提供される。粘度は、１つ以上のヘアトリートメント組成物（１５）を少なくとも１つの吸収性基材（３０）に適用する前に測定される。
【００２４】
ヘアトリートメント適用システム（１０）（hair treatment applicator system）の少なくとも１つの吸収性基材（３０）は、１つ以上のヘアトリートメント組成物（１５）に対し、好ましくは吸収性基材１グラム当たり液体１０〜８０グラムの吸収能力を有する。
【００２５】
更に本発明は、毛髪をヘアトリートメント適用システム（１０）で処理する方法、及びヘアトリートメント適用システム（１０）を含むキットに関する。
【図面の簡単な説明】
【００２６】
【図１】ヘアトリートメント適用システム（１０）及びその使用方法。図１の左側においては、ヘアトリートメント適用システム（１０）を片手で保持し、その後、右側に示すように、これを毛髪ストランド（１１）に接触させ、根元ラインから先端まで通してヘアトリートメント組成物（１５）を適用する。
【図２】プレート（２２）に取り付けられた吸収性基材（３０）を含む本発明に従うヘアトリートメント適用システム（hair treatment applicator system）（１０）の実施形態。プレート（２２）は、使用を容易にするためにハンドル（２１）に連結されている。
【図３】吸収性基材（３０）の内側表面（３２）に適用されるヘアトリートメント組成物（１５）を含む本発明に従うヘアトリートメント適用システム（１０）。吸収性基材（３０）は、その外側表面（３１）で、２つのプレート（２２）の内表面（５２）に取り付けられる。ゆえに、プレートは吸収性基材（３０）によって連結されている。
【図４】それらの外側表面（３１）によって容器（４０）を含む可撓性柔軟な支持体に取り付けられる、２つの吸収性基材（３０）を含む本発明によるートメント適用システム（１０）。ヘアトリートメント組成物（１５）は、２つの吸収性基材（３０）の内側表面（３２）のうちの１つ上に、及び容器（４０）に適用される。
【図５】ヒンジ（５０）によって連結されている２つのプレート（２２）に取り付けられる２つの吸収性基材（３０）を含むヘアトリートメント適用システム（１０）。１つの吸収性基材（３０）は、ヘアトリートメント組成物（１５）を含む（左）。ヒンジプレート（２２）の外表面（５１）上に力を加えることによって、吸収性基材（３０）は接触する。
【図６】ヘアトリートメント適用システム（１０）の吸収性基材（３０）の内側表面（３２）上へのヘアトリートメント組成物（１５）の充填。
【発明を実施するための形態】
【００２７】
本発明の目的では、毛髪という用語は、生きている毛髪、すなわち、生物上の毛髪と、生きていない毛髪、すなわち、かつら、ヘアピース、又は生きていないケラチン繊維の他の集合体との両方を指す。哺乳類、好ましくはヒトの毛髪が意図される。しかし、羊毛、毛皮、及び他のケラチン繊維が、本発明によるヘアトリートメント適用システム（１０）と共に使用されるのに適しているかもしれない。
【００２８】
毛髪ストランドという用語は、本発明の目的では、少なくとも２本のケラチン繊維、特に毛髪、特にヒトの毛髪を指しており、毛束と解釈すべきである。
【００２９】
本明細書で使用するとき、ヘアトリートメント組成物に言及するときの用語「適用される」は、コーティングされる、充填される、吸収される、吸着される、及び接着されることを網羅するものである。
【００３０】
本明細書は、本発明を詳しく指摘し明確に請求する特許請求の範囲でまとめられるが、本発明は、以下の説明から更によく理解されるものと考えられる。
【００３１】
上述で議論された技術的問題をいかに解決するかを調査する際に、本発明者らは、従来の吸収性構造から平面への希薄流体の供給、すなわち、赤ちゃん拭き取り用品、浴室拭き取り用品、台所拭き取り用品、床拭き取り用品、台所洗浄スポンジ又は顔面拭き取り用品は、毛髪への適用に適切でないことを確定した。希薄流体を付着させることができ、その後、大部分は平らな表面にわたって塗布でき、それによって毛髪、特に円筒形状で平面への重力測定閉じ込めがない毛髪ストランドへの供給のために含有できるこれらの適用とは異なり、従来の低粘度流体吸収性構造の使用は、有意な消費者の望んでいない滴り落ち及び扱いにくさをもたらす。
【００３２】
本発明者は、驚くべきことに、約３Ｐａ．ｓ（３，０００ｃＰｓ）〜約１５０Ｐａ．ｓ（１５０，０００ｃＰｓ）のヘアトリートメント組成物の粘度の特定の選択は、約３００ミクロン〜約３，０００ミクロンの吸収性基材のメジアン細孔半径の特定の選択と組合せて、所望の技術的効果をもたらすために重大であることを、今回確認した。
【００３３】
ヘアトリートメント組成物の粘度が高すぎると、吸収性基材への充填が容易でなく、吸収性基材からの供給が過度に困難であり、更に、酸化染色及び必要に応じて、ハイライトを包含する漂白のような反応性ヘアトリートメント適用に望ましい２つ以上の異なるヘアトリートメント組成物の内部混合が妨げられ得る。他方では、ヘアトリートメント組成物の粘度が低すぎると、充填が非効率的である可能性があり、ヘアトリートメント組成物が吸収性基材中に十分に保持されずに扱いにくさを引き起こし、望ましくない滴り落ち及び扱いにくさを引き起こす。
【００３４】
以下で技術的実験データによって実証されるように、後述する試験方法に従って測定されるヘアトリートメント組成物の最低粘度は、少なくとも３Ｐａ．ｓ（３，０００ｃＰｓ）である。包括的な範囲の粘度を得るために様々な濃度で調製されたカーボポール（Carbopol）（登録商標）９５６溶液（ノベオン（Noveon）から入手可能）を、広範囲のメジアン細孔半径を有する様々な種類の吸収性基材にて試験した。全てのカーボポール（Carbopol）（登録商標）９５６が溶解するまでオーバーヘッド撹拌機を使用して溶液を混合しながら、カーボポール（Carbopol）（登録商標）９５６を脱イオン水に添加することにより、カーボポール（Carbopol）（登録商標）９５６溶液を調製した。必要な粘度が達成されるまで、追加のカーボポール（Carbopol）（登録商標）９５６を溶液中に添加した。各カーボポール（Carbopol）（登録商標）９５６溶液を、選択された吸収性基材中に充填した。その後、吸収性基材を、以降の最低粘度限界試験方法において記載されるように圧縮した。各実験を３回繰り返し、結果をスチューデントのｔ−検定（∝＝０．０５）を使用して評価し、各吸収性基材について、統計的に異なる平均を、角括弧内の様々な文字により示す。圧縮下で吸収性基材から滴り落ちた充填カーボポール（Carbopol）（登録商標）９５６溶液の平均パーセンテージ及び対応する粘度を、表１に示す。
【００３５】
【表１】
2010505502.tif 000003
【００３６】
これらの結果は、粘度が増加するにつれて、吸収性基材から滴り落ちるカーボポール（Carbopol）（登録商標）９５６溶液のパーセンテージが著しく低下することを明確に示している。驚くべきことに、選択された吸収性基材とは関係なく、吸収性基材が少なくとも約３Ｐａ．ｓ（３，０００ｃＰｓ）の粘度を有するカーボポール（Carbopol）（登録商標）９５６溶液で充填されたときに、滴り落ちが実質的になかったことが判明した。
【００３７】
本発明によるヘアトリートメント組成物に関する上述で議論された実験データを更に裏付けるために、１２人のパネリストによる消費者試験も行った。各パネリストは、吸収性基材（リベルテックス（Libeltex）０１−７６６  ＤＩ−８、メジアン細孔半径５５０ミクロン）を与えられて、その扱いにくさと滴り落ちを試験し、評価した。以下の消費者パネリスト調査試験方法の項で後述するように、吸収性基材をプレートの片側に据え付けた。そのような準備された２枚のプレートを、吸収性基材が互いに向き合うクリップを形成するように、ヒンジで連結した。クリップ当たりの１つの吸収性基材に、粘度１Ｐａ．ｓ（１，０００ｃＰｓ）を有するカーボポール（Carbopol）（登録商標）９５６の溶液を充填した。他のクリップを、粘度２．５Ｐａ．ｓ（２，５００ｃＰｓ）及び５Ｐａ．ｓ（５，０００ｃＰｓ）を有するカーボポール（Carbopol）（登録商標）９５６溶液を用いて準備した。
【００３８】
結果をフィッシャーのＬＳＤ統計的試験（∝＝０．０５）によって評価したところ、粘度１Ｐａ．ｓ（１，０００ｃＰｓ）及び２．５Ｐａ．ｓ（２，５００ｃＰｓ）粘性流体のカーボポール（Carbopol）（登録商標）９５６溶液の両方についての平均等級は、両質問について統計的に同一であり、また、５Ｐａ．ｓ（５，０００ｃＰｓ）のものは、各質問において有意に異なり、扱いにくくないとランク付けされたことが明らかになった。表２に示されるこれらの結果は、扱いにくさを避けるために必要な粘度が２．５Ｐａ．ｓ（２，５００ｃＰｓ）〜５Ｐａ．ｓ（５，０００ｃＰｓ）の間の範囲であるという技術的実験データを裏付ける。統計的に異なる平均は、角括弧内の異なる文字によって示される。
【００３９】
【表２】
2010505502.tif 000004
【００４０】
本発明者らは、また、驚くべきことに、非常に特殊なタイプの吸収性基材が必要とされることも見出した。具体的には、本発明の吸収性基材は、少なくとも３Ｐａ．ｓ（３，０００ｃＰｓ）の最低粘度を有する１つ以上のヘアトリートメント組成物に対応できるメジアン細孔半径を有するように、選択される。吸収性基材の多孔質の性質は、メジアン細孔半径によって正確に記載される。これは、以降で定義されるように、１０００ミクロン以下のメジアン細孔半径を持つサンプルについてはＴＲＩオートポロシメータ（TRI Autoporosimeter）（登録商標）方法によって１０００ミクロン超過のメジアン細孔半径を持つサンプルについては光学的イメージングによって従来確かめられる。本発明の範囲内で有用な吸収性基材のメジアン細孔半径の効果を、以降の最小メジアン細孔半径試験方法の項で記載するように、重力測定流体充填を使用して確定した。この方法は、消費者がどのように吸収性基材にヘアトリートメント組成物を充填してよいかを、最もよく表す。選択された吸収性基材は、ＢＢＡファイバーウェブ・テノテックス（Fiberweb Tenotex）Ｐ１０１（メジアン細孔半径７５ミクロン）、フロイデンベルク（Freudenberg）ＡＬ１０６０（３００ミクロン）、リベルテックス（Libeltex）０１−７６６  ＤＩ−８（５５０ミクロン）、ＰＧＩ  ＦＢ−２１５（７００ミクロン）、及びレクティセル・ブルプレン（Recticel Bulpren）Ｓ２８２８０（１，４００ミクロン）であった。各吸収性基材には、それぞれ、３Ｐａ．ｓ（３，０００ｃＰｓ）、５Ｐａ．ｓ（５，０００ｃＰｓ）、及び１０Ｐａ．ｓ（１０，０００ｃＰｓ）の粘度を有するカーボポール（Carbopol）（登録商標）９５６溶液を充填した。各実験を３回繰り返し、スチューデントのｔ−検定（∝＝０．０５）を使用して結果を評価し、統計的に異なる平均を、角括弧内の様々な文字によって示す。対応する粘度において吸収性基材の各グラムに充填されたカーボポール（Carbopol）（登録商標）９５６溶液の平均量（グラム）を、表３に示す。
【００４１】
【表３】
2010505502.tif 000005
【００４２】
結果は、吸収性基材のメジアン細孔半径を増大させることにより各吸収性基材に充填できるカーボポール（Carbopol）（登録商標）９５６溶液の量もまた増加することを示している。更に、結果は、７５ミクロンのメジアン細孔半径を有するＢＢＡファイバーウェブ・テノテックス（Fiberweb Tenotex）Ｐ１０１の場合のように、吸収性基材が３００ミクロン未満のメジアン細孔半径を有するときには、最低粘度３Ｐａ．ｓ（３，０００ｃＰｓ）を有するカーボポール（Carbopol）（登録商標）９５６溶液を有意に充填できないことを示している。
【００４３】
ゆえに、本発明の目的では、吸収性基材のメジアン細孔半径は、少なくとも約３００ミクロンである。この最小メジアン細孔半径を下回ると、粘度が少なくとも約３Ｐａ．ｓ（３，０００ｃＰｓ）のヘアトリートメント組成物は、本発明の意図された消費者用途における使用には適応させることができない。
【００４４】
本明細書で選択される吸収性基材の最大メジアン細孔半径は、製造に適し、市販され、本発明の所期の消費者用途に使用される間も依然として形状を保持可能な、連続気泡発泡体の最大半径であると確定された。最大メジアン細孔半径の連続気泡発泡体は、レクティセル（Recticel）によって提供され、３，０００ミクロンのメジアン細孔半径を有する。３，０００ミクロンよりも大きいメジアン細孔半径を有する吸収性基材は、それらの機械的強度を失う傾向にあり、ゆえに、本発明の範囲内では使用されない。したがって、本発明による吸収性基材は、約３００ミクロン〜約３，０００ミクロン、好ましくは約４００ミクロン〜約２，５００ミクロン、より好ましくは約４５０ミクロン〜約２，０００ミクロン、更に好ましくは約５００ミクロン〜約１，８００ミクロンのメジアン細孔半径を有する。
【００４５】
ヘアトリートメント組成物は、非常に多様な粘度を有し、現在市販されている製品は、約６００Ｐａ．ｓ（６００，０００ｃＰｓ）までの粘度を有する。本発明の範囲内では、上述で選択された吸収性基材上になお充填でき、毛髪に供給されるヘアトリートメント組成物の最大粘度は、１５０Ｐａ．ｓ（１５０，０００ｃＰｓ）である。上述で確定されたメジアン細孔半径範囲を代表する２つの吸収性基材、レクティセル・ポットスコアラー（Recticel Pottscorer）４１０（約１，４００ミクロン）及びレクティセル・ブルプレン（Recticel Bulpren）Ｓ２８２８０（約２，２００ミクロン）を選択した。次いで、これらの２つの吸収性基材に約１００Ｐａ．ｓ（１００，０００ｃＰｓ）の粘度を有するカーボポール（Carbopol）（登録商標）９５６溶液を充填し、続いて３つの毛束を吸収性基材と接触させて、毛髪上にカーボポール（Carbopol）（登録商標）９５６溶液をコーティングした。両方の場合において、吸収性基材は、ハイライトを達成した毛髪１グラム当たりのカーボポール（登録商標）９５６溶液の量をグラムで提供することができた。これらの結果を以下の表４に示す。同様の量の市販のハイライト組成物は、ハイライト効果を提供するのに十分であろう。
【００４６】
【表４】
2010505502.tif 000006
【００４７】
これらの結果は、１００Ｐａ．ｓ（１００，０００ｃＰｓ）の粘度値に言及するが、ヘアトリートメント組成物の当業者は、最高約１５０Ｐａ．ｓ（１５０，０００ｃＰｓ）までの粘度を有するヘアトリートメント適用組成物を本発明による吸収性基材上になお充填でき、毛髪に適用できることを理解するのが容易であることに気付くであろう。ゆえに、本発明によるヘアトリートメント組成物は、約３Ｐａ．ｓ（３，０００ｃＰｓ）〜約１５０Ｐａ．ｓ（１５０，０００ｃＰｓ）、より好ましくは約５Ｐａ．ｓ（５，０００ｃＰｓ）〜約１２５Ｐａ．ｓ（１２５，０００ｃＰｓ）、より好ましくは約７Ｐａ．ｓ（７，０００ｃＰｓ）〜約１００Ｐａ．ｓ（１００，０００ｃＰｓ）、更により好ましくは約９Ｐａ．ｓ（９，０００ｃＰｓ）〜約８５Ｐａ．ｓ（８５，０００ｃＰｓ）の粘度を有すると定義され、粘度は、後述する最高粘度限界試験方法に従って、吸収性基材への適用前に測定される。
【００４８】
メジアン細孔半径に加えて、規定された吸収能力を選択すると、毛髪上へのヘアトリートメント組成物の適用が同様に改善される可能性があることも確定された。本発明の吸収性基材の吸収能力は、基材１グラム当たりの水の最大取り込み量のグラム数（グラム／グラム）によって記載することができる。本発明の吸収性基材の吸収能力は、以下の吸収能力試験方法の項に記載の計算に従って確定したときに、好ましくは吸収性基材１グラム当たりヘアトリートメント組成物約１０〜約８０グラム、好ましくは約１５〜約７５グラム、より好ましくは約２０〜約７０グラム、更に好ましくは約２５〜約６５グラムの範囲である。
【００４９】
また、本発明者らは、吸収性基材の選択されたキャリパー範囲が、必要な量のヘアトリートメント組成物を毛髪に供給する際にも役立つ可能性があることを確定した。キャリパーは、後述するキャリパー試験方法に従って、通常マイクロメータによって吸収性基材の表面上の最も高い点で測定される。本発明の吸収性基材のキャリパーは、好ましくは約２〜約２０ｍｍ、好ましくは約３〜約１７ｍｍ、より好ましくは約４〜約１２ｍｍ、更に好ましくは約５〜約１０ｍｍの範囲である。
【００５０】
同様に、特定の坪量を有する吸収性基材材料の選択も、吸収能力を高める可能性がある。好ましくは、また本発明の吸収性基材は、また、後述する坪量試験方法に従って、約２０〜約３００ｇ／ｍ2、好ましくは約６０〜約２５０ｇ／ｍ2、より好ましくは約１００〜約２００ｇ／ｍ2の坪量を有する。
【００５１】
理論に束縛されるものではないが、本発明者らは、選択されたキャリパー及びメジアン細孔半径が、吸収性基材の液体透過性に影響を与えると考えている。液体透過性は、材料が流体を運ぶ能力の指標である。
【００５２】
１．吸収性基材
本発明で使用するのに適した吸収性基材は、不織布、織布、多孔質発泡体及び発泡材料、多孔質プラスチック、可撓性フリット（flexible frits）、メッシュ、並びに、構造が上述の機能的要件を満たすことを条件として、物理的に重ね合わされた、不連続パターンで連続的に接合された（積層された）、又は別個の場所（loci）で外縁部を結合することによって接合された、同一又は異なる材料の１つ以上の層を有する再生された材料及び複合材料を含有する、これらの組合せから選択してもよい。
【００５３】
本発明の吸収性基材は、好ましくは、不織布及び／又は多孔質発泡体から選択される。
【００５４】
不織布材料は、ステープル若しくは連続フィラメントであってよい繊維から、又はその場（in situ）で形成できる繊維から製造され、それらには、製造されたシート、ウェブ若しくはバット、又は摩擦、及び／若しくは凝集及び／若しくは接着によって結合された、方向的に配向された又はランダム配向された繊維が含まれる。不織布ウェブ及びそれらを作製するプロセスは、３つの工程、すなわち、繊維の重ね合わせ（fiber laying）、前駆体ウェブの形成、及び繊維の結合を含んでもよい。繊維の重ね合わせ工程は、形成表面上のウェブを構成する繊維から、スパンレイイング、メルトブロー、カーディング、エアレイイング、ウェットレイイング、及びこれらの組合せから構成されてもよい。前駆体ウェブの形成工程は、結合工程中に、ウェブを構成する繊維がバラバラになるのを防止する可能性がある。前駆体ウェブの形成は、本来は化学的又は機械的であるような、事前結合工程によって実施してもよい。結合工程は、その後、完成したウェブに強度を与えてもよい。結合工程は、ウェブを構成する繊維を水流交絡（ＨＥＴ）、コールドカレンダー加工、ホットカレンダー加工、エアースルー結合、化学結合、ニードルパンチング、及びこれらの組合せにさらすことから構成されてもよい。好適な不織布材料は、アセテート繊維、アクリル繊維、セルロースエステル繊維、モダクリル繊維、ポリアミド繊維、ポリエステル繊維、ポリオレフィン繊維、ポリビニルアルコール繊維、レーヨン繊維、ケラチン繊維、セルロース繊維、絹繊維、及びこれらの組合せから選択される、天然又は合成繊維から構成してもよい。不織布は、ポリオレフィン若しくはポリエステル等のモノコンポーネント構成成分繊維、ポリエチレン／ポリプロピレン若しくはポリエチレン／ポリエステルのシース／コア繊維又は並列繊維などのバイコンポーネント繊維、あるいは２つ以上の熱可塑性ポリマーのブレンドによって構成される２組成繊維（bi-constituent fibers）から構成してもよい。
【００５５】
好ましい不織布基材は、カーデッド、エアレイド、及びメルトブロウン不織布材料又は複合材から選択される。より好ましくは、本発明の不織布基材は、１つ以上の異なる種類の繊維を用いてカーディング機械によって製造されたカーデッドウェブから選択される。更に好ましくは、本発明の不織布基材は、しばしば詰綿（batting battings）と呼ばれる、スルーエア結合又はニードルパンチングによってまとめられた、多層又は嵩高なウェブから選択される。本明細書で使用するのに適したカード不織材の例としては、リベルテックス・サーモコンタクト（Libeltex Thermo-contact）０１−７６６  ＤＩ−８；リベルテックス・ロフトフィル（Libeltex Loftfill）ＨＣ２、ＰＧＩ  ＦＢ−２１５、ＰＧＩ  ＦＢ−２０４Ｂ、ＰＧＩ  ＦＢ−１８５、及びＰＧＩ  ＦＢ−２１７が挙げられる。
【００５６】
多孔質発泡体及び発泡材料は、低密度エラストマー、プラスチック、及び様々な多孔度を持つ他の材料から作製され、モールディング、キャスティング、押出成形、引抜成形、機械加工、熱成形、プラスチック溶接、吹込み成形、ラピッドプロトタイピング技術、研削（grinding）、及び／又は他の特殊プロセスを使用して完成形状へと加工できる、連続気泡発泡体、可撓性発泡体、剛性発泡体、並びに網状発泡体（reticular foams）、及びシンタクチックフォームから選択してもよい。多孔質発泡体及び発泡材料は、アクリロニトリル−ブタジエン−スチレン（ＡＢＳ）、アクリル、エポキシ樹脂、フルオロポリマー、イソプレン−スチレン（ＳＩＳ）及びスチレン−ブタジエン−スチレン（ＳＢＳ）、シリコーン、ポリウレタン、及びネオプレンなどの様々な系を主体とする合成ゴム又はエラストマー、ニトリルゴム、天然ゴム（ポリイソプレン）若しくは硬化型繊維（vulcanized fibre）等、天然若しくは植物系原料から形成されるプラスチック又はエラストマー、水性及び水系の樹脂並びにラテックス材料を包含する、様々な化学系から構成してもよい。多孔質発泡体及び発泡材料のための化学系としては、エチレンコポリマー、発泡ポリエチレン、ポリカーボネート、ポリエステル、ポリエーテル、ポリエーテルイミド、ポリイミド、ポリオレフィン、ポリプロピレン、ポリウレタン、フェノール、ポリ尿素、及びビニルが挙げられる。
【００５７】
多孔質プラスチックは、ポリテトラフルオロエチレン（ＰＴＦＥ）、ポリエチレン（ＰＥ）、ポリプロピレン（ＰＰ）、及びポリビニルジフルオリド（ＰＶＤＦ）を包含する多種多様な材料から作製することができる。それらは、モールドをごく小さなプラスチックペレットで満たし、それらのペレットが触れている場所で結合するように、モールドを熱及び圧力にさらすことによって作製される。この部分は、次いで、モールドの外で加熱され、この工程の間に大きく縮んで、それを強化する。
【００５８】
多孔質発泡体は、好ましくはポリウレタン発泡体である。多孔質発泡体の好適な例は、レクティセル・インターナショナル（Recticel International）（ベルギー）から入手可能であり、スイーペクス（Sweepex）Ｓ  ３１  ＣＳ／Ｒ、ブルプレン（Bulpren）Ｓ２８２８０、ブルプレン（Bulpren）Ｄ３２１３３、フィルトレン（Filtren）Ｔ２３２２０、及びフィルトレン（Filtren）ＴＭ  ２３１３３が挙げられる。
【００５９】
本発明の吸収性基材（３０）は、ユーザの手、又は後述されて図２〜５に示される任意の適用ツールに容易に適合するように提供される。円形、楕円形又は矩形形状のような任意の形状の吸収性基材（３０）を使用してよい。各吸収性基材は、外側表面（３１）及び内側表面（３２）を有する。外側表面（３１）はユーザの手に面し、内側表面（３２）はヘアトリートメント組成物（１５）が充填される表面であり、毛髪と接触する。
【００６０】
本発明のヘアトリートメント適用システム（１０）は、図１、２、３及び６に示すように少なくとも１つの吸収性基材（３０）を含み、好ましくは図４及び５に示すように少なくとも２つの吸収性基材（３０）を含む。
【００６１】
最終的に、本発明による吸収性基材（３０）は、好ましくは、ヘアトリートメント組成物（１５）に対して実質的に不活性であることが好ましい。
【００６２】
２．ヘアトリートメント組成物
上述で論じたように、本発明者らは、驚くべきことに、期待される技術的効果をもたらすためには、ヘアトリートメント組成物（１５）の粘度が、吸収性基材（３０）のメジアン細孔半径と組合せて選択されなければならないと確定した。したがって、驚くべきことに、吸収性基材（３０）にヘアトリートメント組成物（１５）の有効な充填及び保持には、１つ以上のヘアトリートメント組成物（１５）はそれぞれ、約３Ｐａ．ｓ（３，０００ｃＰｓ）〜約１５０Ｐａ．ｓ（１５０，０００ｃＰｓ）、好ましくは約５Ｐａ．ｓ（５，０００ｃＰｓ）〜約１２５Ｐａ．ｓ（１２５，０００ｃＰｓ）、より好ましくは７Ｐａ．ｓ（７，０００ｃＰｓ）〜約１００Ｐａ．ｓ（１００，０００ｃＰｓ）、更により好ましくは約９Ｐａ．ｓ（９，０００ｃＰｓ）〜約８５Ｐａ．ｓ（８５，０００ｃＰｓ）の粘度を有することが見出された。
【００６３】
ヘアトリートメント組成物（１５）の粘度は、ヘアトリートメント組成物（１５）が吸収性基材（３０）に充填される前に測定される。粘度は、液体ヘアトリートメント組成物（１５）のみについて測定される。そこで使用される液体ヘアトリートメント組成物という用語は、それらが頭部に供給されるときには液体形態であること、及び本明細書で請求される範囲内の粘度を有することを条件として、ペースト、組成物、溶液、油中水型エマルション、又は他の適切な形態など、液体形態のヘアトリートメント組成物を意味する。好ましくはヘアトリートメント組成物は、吸収性基材（３０）への良好な付着特性を提供する組成物の形態で、吸収性基材（３０）に適用される。ヒドロゲルは、吸収性基材（３０）内でのヘアトリートメント組成物（１５）の拡散及び吸収を促進する水の供給源を提供するので、特に好ましい。
【００６４】
本発明によれば、吸収性基材において所望のヘアトリートメント組成物混合物を提供するための多くの方法が存在する。ついては、本明細書で使用するとき、用語「前」は、これらの遂行のための以下の意味を有する。
【００６５】
同一の２つ（又はそれ以上）のヘアトリートメント組成物（１５）が、少なくとも１つの吸収性基材（３０）に独立して充填され、少なくとも１つの吸収性基材（３０）内で混合されるときには、ヘアトリートメント組成物の粘度は、ヘアトリートメント組成物（１５）の１つが、少なくとも１つの吸収性基材（３０）上に充填される前に測定される。
【００６６】
異なる２つのヘアトリートメント組成物（１５）が、少なくとも１つの吸収性基材（３０）内への充填前に予め混合されるときには、粘度は、予め混合されたヘアトリートメント組成物が吸収性基材内に充填される前に、得られた混合ヘアトリートメント組成物（１５）で測定される。
【００６７】
異なる２つ（又はそれ以上）のヘアトリートメント組成物（１５）が、少なくとも１つの吸収性基材（３０）に独立して充填された後、少なくとも１つの吸収性基材（３０）内で混合されるときには、単一のヘアトリートメント組成物（１５）の粘度はそれぞれ、少なくとも１つの吸収性基材（３０）への充填前に測定される。後で吸収性基材内で混合される異なる２つの組成物を吸収性基材内に充填することを伴う実施形態では、得られる混合ヘアトリートメント組成物の粘度は、約３Ｐａ．ｓ（３，０００ｃＰｓ）〜約１５０Ｐａ．ｓ（１５０，０００ｃＰｓ）の粘度を有することが好ましい。そのような実施形態では、得られる混合ヘアトリートメント組成物の粘度は、試験方法の項で後述するように、吸収性基材内への充填前に、２つ（又はそれ以上）のヘアトリートメント組成物を混合することによって確定される。この特定の実施形態は、以降の実施例Ａ及びＢにおいて例示される。
【００６８】
ヘアトリートメント組成物（１５）のうちの１つが粉末である場合には、粉末と別の液体ヘアトリートメント組成物（１５）とを混合して得られるヘアトリートメント組成物（１５）の粘度が測定される。
【００６９】
また、一部のヘアトリートメント組成物（１５）では、扱いにくさのない状態、良好な性能、及び選択された毛髪ストランド内だけへのヘアトリートメント組成物（１５）の正確な適用を促進して、毛髪の残りの部分への接触汚染を避けるために、ずり減粘レオロジーを有することが望ましいと考えられている。
【００７０】
３．吸収性基材に適用されるヘアトリートメント組成物
本明細書で選択された範囲内の粘度を有することを特徴とするいずれのヘアトリートメント組成物（１５）も、基礎を成す発明において使用することができ、上述の技術的効果を達成するために選択された吸収性基材（３０）内に充填することができる。吸収性基材（３０）（単数又は複数）に適用してよいヘアトリートメント組成物（１５）の例を、以下で論じる。好適なヘアトリートメント組成物（１５）としては、シャンプー、コンディショナー、スタイリング組成物、毛髪着色剤、漂白剤、及びハイライト処理組成物が挙げられる。
【００７１】
したがって、組成物は、ヘアトリートメント組成物（１５）での使用が知られている構成成分、ヘアトリートメント組成物（１５）で従来使用される構成成分、又はヘアトリートメント組成物（１５）での使用が他の何らかの形で有効な構成成分、特に、酸化漂白及び染料組成物を含むことができ、それらには、顕色染料（developer dye）化合物；カップラー染料化合物；直接染料；酸化剤；増粘剤；キレート剤（chelants）；ｐＨ調整剤及び緩衝剤；カーボネートイオン源及びラジカルスカベンジャーシステム；アニオン性、カチオン性、非イオン性、両性、若しくは双極性界面活性剤、又はそれらの混合物；アニオン性、カチオン性、非イオン性、両性、若しくは双極性ポリマー、又はそれらの混合物；芳香剤；分散剤；過酸化安定化剤；タンパク質及びそれらの誘導体、植物材料（例えば、アロエ、カミツレ、及びヘンナ抽出物）；シリコーン（揮発性若しくは不揮発性、変性若しくは無変性）、膜形成剤、セラミド、防腐剤、変色指示薬、並びに不透明化剤が挙げられるが、これらに限定されない。上述で言及した適切ないくつかの補助剤は、特に後述はしないが、「国際化粧品成分辞典及びハンドブック（International Cosmetics Ingredient Dictionary and Handbook）」（第８版、トイレ化粧品・香料協会（The Cosmetics，Toiletry，and Fragrance Association））に列記されている。特に、第２巻、３項（化学分類）及び４項（機能）は、特定の目的又は複数の目的を達成するための具体的な補助剤を識別するのに有用である。
【００７２】
Ａ．溶媒
染色に適した媒質は、水、又は水と典型的には水に十分には溶解しない化合物を溶解させるための少なくとも１つの有機溶媒との混合物から選択されてよい。本明細書に用いるのに好適な有機溶媒としては、Ｃ１〜Ｃ４の低級アルカノール（例えば、エタノール、プロパノール、イソプロパノール）、芳香族アルコール（例えばベンジルアルコール及びフェノキシエタノール）；ポリオール及びポリオールエーテル（例えば、カルビトール、２−ブトキシエタノール、プロピレングリコール、プロピレングリコールモノメチルエーテル、ジエチレングリコールモノエチルエーテル、モノメチルエーテル、ヘキシレングリコール、グリセロール、エトキシグリコール）、及びプロピレンカーボネートが挙げられるが、これらに限定されない。有機溶媒は、典型的に組成物の約１重量％〜約３０重量％の範囲の量で存在する。好ましい溶媒は、水、エタノール、プロパノール、イソプロパノール、グリセロール、１，２−プロピレングリコール、ヘキシレングリコール、エトキシジグリコール、及びこれらの混合物である。
【００７３】
Ｂ．酸化染料化合物
本発明の組成物は、一次中間体又はカップラーの形態の酸化染料化合物を包含してよい。本発明の組成物で使用するのに適した化合物（任意で添加されるものを包含する）は、それらが塩基である限り、遊離塩基として、又は塩化水素など、有機酸若しくは無機酸とのそれらの生理学的に適合性のある塩の形態で、使用してもよい。
【００７４】
典型的に、任意のカップラーは、凝集体中では組成物中のカップラー及び本発明の離散粒子凝集体及び／又は粒塊の濃度が、毛髪染色組成物の約０．００２重量％〜約１０重量％、好ましくは約０．０１重量％〜約５重量％の範囲になるような量で存在する。任意の一次中間体は、有効染色濃度で、典型的には毛髪染色組成物の約０．００１重量％〜約１０重量％、好ましくは約０．０１重量％〜約５重量％の量で存在する。本発明の毛髪染色組成物中の染料化合物の総量は、典型的に、毛髪染色組成物の約０．００２重量％〜約２０重量％、好ましくは約０．０４重量％〜約１０重量％、より好ましくは約０．１重量％〜約７重量％にわたるであろう。
【００７５】
これらの化合物は、当該技術分野において周知であり、芳香族ジアミン、アミノフェノール、芳香族ジオール、及びこれらの誘導体が挙げられる（酸化染料前駆体の代表的ではあるが非包括的なリストは、「化粧品の科学及び技術（Cosmetic Science and Technology）」（サガリン（Sagarin）著、インターサイエンス（Interscience）、特別版、第２巻、３０８〜３１０頁）に見ることができる）。以下に述べる前駆体は、例示のためだけのものであり、本発明における組成物及びプロセスを限定する目的でないことを理解すべきである。これらは：トルエン−２，５−ジアミン、ｐ−フェニレンジアミン、ｎ−フェニル−ｐ−フェニレンジアミン、レゾルシノール、４−クロロレゾルシノール、ｍ−アミノフェノール、ｐ−アミノフェノール、１−ナフトール、１，５−ナフタレンジオール、２，７−ナフタレンジオール、ｐ−メチルアミノフェノール、ヒドロキシベンゾモルフォリン、４−アミノ−２−ヒドロキシトルエン、２−メチル−５−ヒドロキシエチルアミノフェノール、１，２，４−トリヒドロキシベンゼン、フェニルメチルピラゾロン、２，４−ジアミノフェノキシエタノール、３−アミノ−２，４−ジクロロフェノール、２−メチルレゾルシノール、ｎ，ｎ−ビス（２−ヒドロキシエチル）−ｐ−フェニレンジアミン、２，４，５，６−テトラアミノピリミジン、４−アミノ−ｍ−クレゾール、６−アミノ−ｍ−クレゾール、１，３−ビス−（２，４−ジアミノフェノキシ）−プロパン、ヒドロキシエチル−ｐ−フェニレンジアミン、２−アミノ−４−ヒドロキシエチルアミノアニソール、５−アミノ−６−クロロ−ｏ−クレゾール、ヒドロキシエチル−３，４−メチレンジオキシアニリン、２，６−ジヒドロキシ−３，４−ジメチルピリジン、２，６−ジメトキシ−３，５−ピリジンジアミン、ジヒドロキシインドール、５−アミノ−４−クロロ−ｏ−クレゾール、ヒドロキシプロピル−ビス−（ｎ−ヒドロキシエチル−ｐ−フェニレンジアミン）、６−ヒドロキシインドール、イサチン、３−アミノ−２−メチルアミノ−６−メトキシピリジン、２−アミノ−３−ヒドロキシピリジン、２，６−ジヒドロキシエチルアミノトルエン、２，５，６−トリアミノ−４−ピリミジノール、ジヒドロキシインドリン、１−アセトキシ−２−メチルナフタレン、１−ヒドロキシエチル−４，５−ジアミノピラゾール、２，２’−メチレンビス−４−アミノフェノール、２−メチル−１−ナフトール、４−ホルミル−１−メチルキノリニウム−ｐ−トルエンスルホネートである。これらは、分子形態又は過酸化物適合性塩の形態で使用することができる。
【００７６】
本発明の毛髪染色組成物は、非酸化的毛髪染料、すなわち、単独で又は上述した酸化染料と組合せて使用してもよい直接染料も挙げられる。適した直接染料としては、アゾ若しくはアントラキノン染料及びベンゼン系のニトロ誘導体及び又はメラニン前駆体、並びにこれらの混合物が挙げられる。このような直接染料は、色合いの改質又はハイライトをもたらすのに特に有用である。特に好ましいものは、塩基性赤色５１、塩基性橙色３１、塩基性黄色８７、及びこれらの混合物である。
【００７７】
Ｃ．アルカリ化剤
本発明によれば、組成物は、また、アルカリ化剤源を少なくとも１つ含んでもよい。アルカノールアミド、例えば、モノエタノールアミン、ジエタノールアミン、トリエタノールアミン、モノプロパノールアミン、ジプロパノールアミン、トリプロパノールアミン、２−アミノ−２−メチル−１，３−プロパンジオール、２−アミノ−２−メチル−１−プロパノール、及び２−アミノ−２−ヒドロキシメチル−１，３−プロパンジオール、並びにグアニジウム塩、塩化アンモニウム、硫酸アンモニウム、硝酸アンモニウム、リン酸アンモニウム、酢酸アンモニウム、炭酸アンモニウム、炭酸水素アンモニウム、カルバミン酸アンモニウム、水酸化アンモニウム、過炭酸塩、アンモニア、炭酸アンモニウム、カルバミン酸アンモニウム、アンモニア、ケイ酸ナトリウム、メタケイ酸ナトリウム、二ケイ酸ナトリウム、過硫酸アンモニウム、過硫酸ナトリウム、過硫酸カリウム、並びにこれらの混合物など、当該技術分野において既知のいずれの剤を使用してもよい。
【００７８】
本発明の組成物は、約０．１重量％〜約４０重量％、好ましくは約１．０重量％〜約３５重量％、最も好ましくは約２重量％〜約３０重量％のアルカリ化剤、好ましくはアンモニウムイオンを含んでもよい。
【００７９】
Ｄ．酸化剤
組成物は、毛髪中のメラニン色素を漂白するために、及び／又は酸化染料前駆体（存在する場合、顕色剤及び／又はカップラーを含む）から染料発色団の形成を引き起こすために十分な量で存在する酸化剤を含んでもよい。通常、そのような量は、顕色剤組成物の約１重量％〜約２０重量％、好ましくは約３重量％〜約１５重量％、より好ましくは約６重量％〜約１２重量％にわたる。水性媒質中で過酸化水素を生成可能な無機過酸素材料が好ましく、それには、過酸化水素；無機アルカリ金属過酸化物（例えば、過ヨウ素酸ナトリウム及び過酸化ナトリウム）；有機過酸化物（例えば、過酸化尿素、過酸化メラミン）；無機過水和物塩漂白化合物（例えば、過硫酸アンモニウム、過硫酸ナトリウム、過硫酸カリウム、及びこれらの混合物）が挙げられるが、これらに限定されない。好ましいのは、過酸化水素及び過硫酸塩である。過硫酸塩粉末は、後述する別の液体ヘアトリートメント組成物と混合してよく、又は代替的に、それらが物理的に収容され、重力下で基材から容易には出て行かないような手段で、吸収性基材の内表面及び／又は外表面に粉末粒子を適用することによって物理的に動かなくすることもできる。これは、過流酸塩ブレンドを収容する吸収性基材内の中空ポケット又はリザーバによって達成することができる。
【００８０】
Ｅ．ｐＨ調整剤及び緩衝剤
組成物は、組成物のｐＨを約３〜約１３、好ましくは約８〜約１２、より好ましくは約８〜約１１の範囲内になるように調節するのに十分に有効な量のｐＨ調整剤及び／又は緩衝剤を更に含んでもよい。本明細書で使用するのに適したｐＨ調整剤及び／又は緩衝剤としては、アンモニア、アルカノールアミド、例えば、モノエタノールアミン、ジエタノールアミン、トリエタノールアミン、アルカリ金属、及び水酸化アンモニウム及び炭酸アンモニウム、好ましくは水酸化ナトリウム及び炭酸アンモニウム、並びにケイ酸ナトリウム及びメタケイ酸ナトリウムなどのケイ酸塩、並びに塩化アンモニウムが挙げられる。
【００８１】
Ｆ．カーボネートイオン源
本発明の組成物は、好ましい実施形態では、過酸化水素供給源とカーボネートイオン供給源とから、好ましくはその場（in situ）で、形成されたペルオキシモノカーボネートイオン源を、少なくとも１つ更に含んでもよい。ゆえに、本発明によれば、組成物は、また、少なくとも、カーボネートイオン源、若しくはカルバミン酸イオン源、若しくは炭酸水素イオン源、又はこれらのいずれかの混合物を含んでもよい。これらのイオンの任意の供給源を利用してもよい。本明細書に用いるのに適した供給源としては、カーボネートイオン、カルバミン酸イオン及び炭酸水素イオンのナトリウム塩、カリウム塩、グアニジン塩、アルギニン塩、リチウム塩、カルシウム塩、マグネシウム塩、バリウム塩、アンモニウム塩及びこれらの混合物、例えば炭酸ナトリウム、炭酸水素ナトリウム、炭酸カリウム、炭酸水素カリウム、炭酸グアニジン、炭酸水素グアニジン、炭酸リチウム、炭酸カルシウム、炭酸マグネシウム、炭酸バリウム、炭酸アンモニウム、炭酸水素アンモニウム及びこれらの混合物が挙げられる。カーボネートイオンの供給源と酸化剤の双方をもたらすために、過炭酸塩もまた使用されてよい。カーボネートイオン、カルバミン酸イオン、及び炭酸水素イオンの好ましい供給源は、炭酸水素ナトリウム、炭酸水素カリウム、カルバミン酸アンモニウム、及びこれらの混合物である。本発明の組成物は、約０．１重量％〜約１５重量％、好ましくは約０．１重量％〜約１０重量％、より好ましくは約１重量％〜約８重量％のカーボネートイオンを含んでよい。
【００８２】
Ｇ．ラジカルスカベンジャー系
組成物は、着色プロセスの間の毛髪の損傷を低減するのに十分な量のラジカルスカベンジャーを含んでもよい。典型的に、そのような量は、組成物の０．１重量％〜１０重量％、好ましくは１重量％〜７重量％にわたる。ラジカルスカベンジャーは、アルカリ化剤と同一種ではないように選択するのが好ましい。ラジカルスカベンジャーは、炭酸ラジカルと反応してその炭酸ラジカルを一連の速い反応によってより反応性の低い種へと変換させることのできる種である。好ましいラジカルスカベンジャーは、アルカノールアミン、アミノ糖、アミノ酸及びそれらの混合物の部類から選択されてよく、これらに限定するものではないが、モノエタノールアミン、３−アミノ−１−プロパノール、４−アミノ−１−ブタノール、５−アミノ−１−ペンタノール、１−アミノ−２−プロパノール、１−アミノ−２−ブタノール、１−アミノ−２−ペンタノール、１−アミノ−３−ペンタノール、１−アミノ−４−ペンタノール、３−アミノ−２−メチルプロパン−１−オール、１−アミノ−２−メチルプロパン−２−オール、３−アミノプロパン−１，２−ジオール、グルコサミン、Ｎ−アセチルグルコサミン、グリシン、アルギニン、リジン、プロリン、グルタミン、ヒスチジン、セリン、トリプトファン、及び上述のもののカリウム塩、ナトリウム塩及びアンモニウム塩、並びにそれらの混合物が挙げられる。他の好ましいラジカルスカベンジャー化合物としては、ベンジルアミン、グルタミン酸、イミダゾール、ジ−ｔ−ブチルヒドロキシトルエン、ヒドロキノン、カテコール及びこれらの混合物が挙げられる。
【００８３】
Ｈ．キレート剤
組成物は、配合成分、特に酸化剤、特に過酸化物との相互作用に利用可能な金属の量を削減するのに十分な量のキレート剤を含んでもよい。典型的に、そのような量は、組成物の少なくとも約０．２５重量％から、好ましくは少なくとも約０．５重量％からの範囲である。本明細書で使用するのに適したキレート剤としては、ジアミン−Ｎ，Ｎ’−ジポリ酸、モノアミンモノアミド−Ｎ，Ｎ’−ジポリ酸、及びＮ，Ｎ’−ビス（２−ヒドロキシベンジル）エチレンジアミン−Ｎ，Ｎ’−二酢酸キレート剤（好ましくはＥＤＤＳ（エチレンジアミン二コハク酸））、カルボン酸（好ましくは、アミノカルボン酸）、ホスホン酸（好ましくは、アミノホスホン酸）及びポリリン酸（特に、直鎖のポリリン酸）、これらの塩及び誘導体が挙げられるが、これらに限定されない。
【００８４】
Ｉ．保湿剤
組成物は、保湿剤を含んでもよい。典型的に、ヘアトリートメント組成物中の保湿剤の量は、組成物の少なくとも約１〜約５０重量％、好ましくは約５〜約４０重量％、より好ましくは約１０〜約３０重量％にわたる。本明細書で使用するのに適した保湿剤としては、グリセリン、ポリエチレングリコール、及びプロピレングリコールなどの多価アルコール、並びにこれらの混合物が挙げられるが、これらに限定されない。
【００８５】
Ｊ．増粘剤
ヘアトリートメント組成物は、増粘剤を更に含んでもよい。増粘剤は、組成物の約０．０１重量％〜約２０重量％、好ましくは約０．１重量％〜約１０重量％、より好ましくは約０．３重量％〜約５重量％、更に好ましくは約０．５重量％〜約３重量％のレベルで存在する。
【００８６】
ゲル網状組織増粘系を、本発明の目的で増粘剤として使用してもよい。ゲル網状組織増粘系は、高い融点を有する少なくとも１つの低ＨＬＢ界面活性剤又は両染性物質と、少なくとも１つの追加の第２の界面活性剤とを含む。
【００８７】
低ＨＬＢ界面活性剤又は両染性物質は、６以下のＨＬＢと、少なくとも３０℃の融点とを有する。代表的な例としては、以下の化合物（以下の例では、「固形」は３０℃未満の温度での物質状態を指す）：固形脂肪族アルコール、固形オキシエチレン化（oxyethylenated）脂肪族アルコール、固形グリコールエステル、固形オキシエチレン化アルキルフェノール、固形ソルビタンエステル、固形糖エステル、固形メチルグルコシドエステル、固形ポリグリセリンエステル、固形アルキルグリセリルエーテル、固形プロピレングリコール脂肪酸エステル、コレステロール、及びセラミド、が挙げられる。好ましくは、低ＨＬＢ界面活性剤は、約１４〜３０個の炭素原子を含む直鎖又は分枝鎖脂肪族アルコール、約１６〜３０個の炭素原子及び約２単位以下のエチレンオキシドを含むオキシエチレン脂肪族アルコール、及び約１６〜３０個の炭素原子を含む脂肪酸のグリセロールモノエステルから選択される。最も好ましくは、低ＨＬＢ界面活性剤としては、セチル、ステアリル、セトステアリル、又はベヘニルアルコール、ステアレス−２及びグリセロールモノステアレートが挙げられる。
【００８８】
ゲル網状組織増粘系の第２界面活性剤は、アニオン性、非イオン性又はカチオン性であってよい。アニオン性界面活性剤の例としては、これらに限定されないが、式ＲｎＸｍＹＭのもの及びそれらの混合物が挙げられ、式中、Ｒは、８〜３０個の炭素原子を有する、アルキル基、アルケニル基、又はアルキルアリール基であり、Ｘは、少なくとも１つの炭素原子と少なくとも１つの酸素又は窒素原子とを含む極性基であり、Ｙは、カルボキシレート、サルフェート、スルホネート、又はホスフェートから選択されるアニオン基であり、ｎ及びｍは、独立して１又は２であり、Ｍは、水素、又はカチオンを形成する塩である。非イオン性界面活性剤の例としては、７以上のＨＬＢを有し、１つ以上のポリエチレンオキシド鎖を含むものが挙げられ、各ポリエチレンオキシド鎖は、平均して少なくとも約５０個のエチレンオキシド単位を含有する。非イオン性界面活性剤として使用するには、７以上のＨＬＢを有し、ポリエチレンオキシド鎖を含まないものも好適である。カチオン性界面活性剤の例としては、８〜３０個の炭素原子を含む脂肪鎖を少なくとも１つ有する第四級アンモニウム塩又はアミドアミン、並びにこれらの混合物が挙げられるが、これらに限定されない。第四級アンモニウム塩は、一般式Ｎ＋（Ｒ１Ｒ２Ｒ３Ｒ４）Ｘ−を有し、式中、Ｒ１は、約１２〜３０個の炭素原子を含む直鎖及び分枝鎖ラジカルから選択され、Ｒ２は、約１２〜３０個の炭素原子を含む直鎖及び分枝鎖ラジカル、又はラジカルＲ３〜Ｒ４と同一の基から選択され、ラジカルＲ３〜Ｒ４は、同一のものであっても異なるものであってもよいが、約１〜４個の炭素原子を含む直鎖及び分枝鎖脂肪族ラジカル、並びにアリール及びアルキルアリールなどの芳香族ラジカルから選択され、脂肪族ラジカルは、酸素、窒素、硫黄、及びハロゲンなどのヘテロ原子を少なくとも１つ含むことができ、脂肪族ラジカルは、例えば、アルキル、アルコキシ、及びアルキルアミドラジカルから選択され、式中、Ｘ−は、クロリド、ブロミド、及びヨージドなどのハロゲン化物、メチルサルフェート、ホスフェート、アルキル、及びアルキルアリールスルホネートなどの（Ｃ２〜Ｃ６）アルキルサルフェート、並びにアセテート及びラクテートなどの有機酸から誘導されるアニオンから選択されるアニオンである。カチオン性界面活性剤は、例えば、ベヘントリモニウムクロリド、ベヘンアミドプロピルトリモニウムメトサルフェート、ステアラミドプロピルトリモニウムクロリド、アラキドトリモニウムクロリド、及びそれらの混合物から選択される。アミドアミンは、一般式Ｒ’１−ＣＯＮＨ（ＣＨ２）ｎＮＲ’２Ｒ’３を有し、式中、Ｒ’１は、約１２〜３０個の炭素原子を含む直鎖及び分枝鎖ラジカルから選択され、ラジカルＲ’２及びＲ’３は、同一のものであっても異なるものであってもよいが、水素、約１〜４個の炭素原子を含む直鎖及び分枝鎖脂肪族ラジカル、アリール及びアルキルアリールなどの芳香族ラジカルから選択され、脂肪族ラジカルは、酸素、窒素、硫黄、及びハロゲンなどのヘテロ原子を少なくとも１つ含むことができ、脂肪族ラジカルは、例えば、アルキル、アルコキシ、及びアルキルアミドラジカルから選択され、式中、ｎは、１〜４の整数である。アミドアミンは、例えば、ベヘンアミドプロピルジメチルアミン、ステアラミドプロピルジメチルアミン、及びこれらの混合物から選択される。
【００８９】
上述で指定したタイプの１超過の界面活性剤、又は界面活性剤のいずれかの組合せを使用することができ、指定された第２の界面活性剤に対する低ＨＬＢ界面活性剤の重量比は、約１００：１〜約１：１０、好ましくは２０：１〜１：２、より好ましくは１０：１〜１：１である。
【００９０】
アミド界面活性剤は、また、好ましくはカーボネートイオン源と混合されるときには、好適な増粘剤である。アミド界面活性剤は、ポリオキシエチレンアミド又はポリヒドロキシアミドから選択されてよい。ポリオキシエチレンアミドは、式Ｒ−（ＯＣＨ２ＣＨ２）ｘ−（ＯＣＨ２）ｙ−Ｃ（Ｏ）ＮＨ（ＣＨ２ＣＨ２Ｏ）ｚ−Ｈに従う化合物から選択され、式中、ｘは０〜１００から独立して選択され、ｙは０又は１であり、ｚは、１〜１００から独立して選択され、Ｒは、８〜３０個の炭素原子を有するアルキル、アルケニル、若しくはアルキルアリール基から独立して選択されるか、又は式に従うポリヒドロキシアミドである。
【００９１】
紐状ミセル相増粘系もまた、本発明の目的に適した増粘剤である可能性がある。本発明の紐状ミセル増粘系は、少なくとも１つのイオン性界面活性剤と、イオン性界面活性剤のための対イオンの電解質源とを含む、増粘系として定義される。本明細書において使用するのに適したイオン性界面活性剤は、アニオン性界面活性剤、カチオン性界面活性剤、及び／又はこれらの混合物から選択されてもよい。
【００９２】
また、本明細書で使用するのに適した増粘剤としては、合成ポリマー、例えば、セルロース誘導体（例えば、メチルセルロース、カルボキシメチルセルロース、ヒドロキシエチルセルロース、ヒドロキシプロピルセルロース、ヒドロキシ−プロピルメチルセルロースなど）、カルボマーポリマー（例えば、架橋されたポリアクリル酸コポリマー若しくはホモポリマー、及びポリアルケニルポリエーテルで架橋されたアクリル酸のコポリマー）、疎水変性ポリアクリル酸ポリマー、天然及び合成ガム、カラヤガム、グアーガム、ゼラチン、アルギン、アルギン酸ナトリウム、トラガカント、キトサン、ポリエチレンオキシド、アクリルアミドポリマー、ポリアクリル酸、ポリビニルアルコール、ポリアミン、ポリクオタナリー（polyquarternary）化合物、エチレンオキシドポリマー、ポリビニルピロリドン、カチオン性ポリアクリルアミドポリマー、並びにこれらの混合物が挙げられる。
【００９３】
他の会合型（associative）増粘剤としては、ローム・アンド・ハース（Rohm and Haas）（疎水変性アルカリ可溶性アクリルポリマーエマルションである、アクリゾル（Acrysol）（登録商標）ＩＣＳ−１及びアキュリン（Aculyn）（登録商標）２２及び２８増粘剤、並びに、疎水変性非イオン性ポリオールである、アキュリン（Aculyn）（登録商標）４４及び４６増粘剤）が挙げられる。
【００９４】
好ましい増粘剤は、ポリマー（ゲル化剤を含める）、クリーム若しくはエマルションと呼ばれるゲル相、及びこれらの組合せから選択される。
【００９５】
代表的であるが網羅的ではないポリマー及び増粘剤のリストは、「化粧品用のポリマー及び増粘剤百科事典（The Encyclopaedia of Polymers and Thickeners for Cosmetics）」、ロバート・Ｙ・ロックヘッド（Robert Y. Lochhead）ＰｈＤ及びウィリアム・Ｒ・フロン（William R. Fron）編集・監修、南ミシシッピ大学（University of Southern Mississippi）、ポリマー科学学部（Department of Polymer Science）に見ることができる。
【００９６】
クリーム若しくはエマルションと呼ばれる好適なゲル相は、セチルアルコール、ステアリルアルコール、脂肪酸、及びこれらの混合物から選択してもよい。
【００９７】
４．任意の適用ツール
適用ツール（２０）は、本発明に従うヘアトリートメント適用システム（１０）と併せて使用されるとき、所望によりヘアトリートメント組成物（１５）の供給を補助することができる。
【００９８】
好適な適用ツール（２０）としては、一体成形により又は複数個の同一の又は異なる部分により構成されるツールが挙げられるが、これらに限定されない。例としては、ハンドルに取り付けられるプレート、トング、ユーザの指に固着されるアプリケータ、柔軟なホイル、フィルム性又はセルロース系基材又は支持材料、クリップ、クランプ、シェル、ペンチ、ピンセット、はさみ、可撓性エラストマー又は存続の（live）ヒンジを持つ単一の又は複数の鋳造部品、折り畳み櫛、不透過性材料、相互連結されているプレート（２２）、好ましくは図５に示すようなヒンジプレートで連結したプレート（２２）が挙げられるが、これらに限定されない。図４に示されるように、プレート（２２）は、それらの表面上で曲線状凹を提示してよく、ヘアトリートメント組成物（１５）のための恒久的に連結されている又は取り外し可能な区画（４０）を包含してよい。
【００９９】
適用ツール（２０）は、吸収性基材（３０）の容易な取り扱いをユーザに提供する。加えて、適用ツール（２０）は、ユーザのヘアトリートメント組成物（１５）との接触を最小限にし、また、毛髪へのヘアトリートメント組成物（１５）の適用プロセスを改善する。好ましくは、適用ツール（２０）は、処理される毛髪ストランドの的確な選択を可能にし、向きと無関係であってもよい。適用ツール（２０）は、ハイライト組成物を形成するための活性化及び混合の前に、１つ以上のヘアトリートメント組成物（１５）、例えば酸化剤及びアルカリ化剤から一つを分離する手段を提供してもよい。適用ツール（２０）は、ヘアトリートメント適用システム（１０）への１つ以上のヘアトリートメント組成物（１５）の部分的な又は完全な収容性を提供するのを助けてもよい。更に、適用ツール（２０）は、吸収性基材（３０）上に、又は吸収性基材（３０）に密接に近接して、ヘアトリートメント組成物（１５）の供給を補助してもよい。更に適用ツール（２０）は、所要の製品貯蔵寿命にわたって、ヘアトリートメント組成物（１５）を貯蔵するための方法を提供してもよい。
【０１００】
また任意の適用ツール（２０）は、吸収性基材（３０）への又は適用ツール（２０）へのヘアトリートメント組成物（１５）の充填を実行するために適した１つ以上の手段を備えてもよい。手段の例は、ノズル、開口部、弁、一方向弁であるが、これらに限定されない。
【０１０１】
適用ツール（２０）は、吸収性基材（３０）及びヘアトリートメント組成物（１５）を担持することが可能ないかなる既知の材料から製造されてもよい。好適な材料は、ポリオレフィンのようなポリマー樹脂、例えばポリプロピレン、ポリエチレン又はポリエチレンテレフタレートである。適切な場合、ポリ塩化ビニル、ポリアミド、アセチル、アクリロニトリルブタジエンスチレン、アクリル、アクリロニトリルスチレンアクリレート、エチレンビニルアルコール、ポリカーボネート、ポリスチレン、シリコーン若しくは熱可塑性エラストマー、若しくはコポリマー又は可撓性のある柔軟な基材、例えば紙、板、金属系基材及びアルミニウム箔、フィルム状基材、若しくは多数の積層、又は材料の多数の層の組合せが挙げられる他のポリマーを使用できる。
【０１０２】
適用ツール（２０）又は少なくともその部分は、好ましくはユーザの手に適合すべきであり、好ましくはいずれの手で使用されるときも、適用中の使いやすさのためによりよく人間の手の形状に適合するように人間工学的に設計される。
【０１０３】
適用ツール（２０）は、吸収性基材（３０）に取り付けられる又は組合せるための表面を含む。適用ツール（２０）は、１つ以上の吸収性基材（３０）を取り付けることができる少なくとも１つの表面を有する。好ましくは、適用ツール（２０）の表面は、吸収性基材（３０）の表面を越えて延びる。
【０１０４】
適用ツール（２０）は、吸収性基材（３０）に取り外し可能に又は恒久的に取り付けられる。吸収性基材（３０）を適用ツール（２０）に取り付けるのに適したいずれかの方法を、その方法が吸収性基材（３０）の性能を損なわない又は変化させないことを条件として、ここに採用してよい。吸収性基材（３０）は、圧力、超音波力、ラジオ波若しくは高周波を包含する熱溶接を使用することによって、適用ツール（２０）に取り付けられてもよい。吸収性基材（３０）は、両面テープ、熱硬化性樹脂、ホットメルト及びコールドシール、接着、若しくは押出積層を包含する、接着剤によって適用ツール（２０）に取り付けられてもよい。ベルクロ（Velcro）（登録商標）、クランプ固定、スナップロック、シール・ビーズ、止めピン及び磁性のような機械的なインターロック又はエンタングルメントを使用して、吸収性基材（３０）を適用ツール（２０）に接着してもよい。ヘアトリートメント組成物（１５）は、適用ツール（２０）への吸収性基材（３０）の接着前又は接着後に充填されてよいが、ヘアトリートメント組成物（１５）を変える又は不活性化することができる方法なら、吸収性基材（３０）は、適用ツール（２０）に取り付けられた後、充填される。
【０１０５】
任意の適用ツール（２０）は、１つ以上のそのツールの部分に含有される、１つ以上の同一又は異なるヘアトリートメント組成物（１５）を含んでよい。例としては、剥離、破裂、穿刺、破断、引き裂き、穿孔、摺動、折り畳み、圧縮、玉軸受によって取り外し可能なバリア材料又はライナーにより分離される区画（４０）が挙げられるが、これらに限定されない。区画（４０）は、固定され、取り付け可能で、取り外し可能であってよく、いったんヘアトリートメント組成物（１５）が放出されたら処分されてよい。異なるヘアトリートメント組成物（１５）は、使用前又は使用中に、圧力によって曲がりくねった（torturous）経路を通して２つの異なる区画（４０）から分与することを包含する流体内部混合機構を通して接触させてもよい。
【０１０６】
ヘアトリートメント組成物（１５）は、同時に又は連続して分与されてよい。ヘアトリートメント組成物（１５）は、吸収性基材（３０）に密接に近接して又は適用ツール（２０）内の空きスペースに分与されてよい図２に示す一実施形態においては、適用ツール（２０）は、片側にハンドル（２１）、他側にヘアトリートメント適用システム（１０）が接着するプレート（２２）を持つ単一の細長い片によって、形成される。
【０１０７】
本明細書に用いるための別の実施形態においては、適用ツール（２０）は、図４に示すように可撓性及び柔軟な支持体の成型により得られる一体成形によって、形成される。好ましい実施形態の１つにおいては、適用ツール（２０）は、好ましくは図３に示すような吸収性基材（３０）自体のような任意の好適な手段によって又は図５に示すようなヒンジ（５０）によって連結されている、２枚のプレート（２２）を含む。ヒンジ（５０）は、「ライブ（live）」射出成形ヒンジ、ストラップヒンジ又は可撓性ストリップ（２つの構成要素間に連結されている折り畳みリンク）、キスカット（kiss-cut）、又は折り目を含めた、多くの方法により形成することができる。別の実施形態においては、任意のツールが２つのプレートを含むとき、プレートはそれぞれ、片方に吸収性基材、他方にユーザの指に適合し、ユーザの手に連結するための取り付け手段を含む。
【０１０８】
プレート（２２）は、平らであっても又は湾曲していてもよく、各プレート（２２）は、外表面（５１）及び内表面（５２）を有する。好ましい実施形態においては、吸収性基材（３０）は、その外側表面（３１）を経由して各プレート（２０）の内表面（５２）に取り付けられる。プレート（２２）は、製造及び組み立ての容易さのために、設計が同一であってもよいが、他の実施形態においては、プレートの設計は異なってもよい。第１プレート（２２）及び第２プレート（２２）は共に、射出成形、二重射出成形、ブリスター型シェルの熱成形又は真空成形、水平面におけるキャリアプラスチック、又はボード材料上への積層を含む、多くの方法により製造されてよい。
【０１０９】
ヘアトリートメント組成物（１５）は、吸収性基材（３０）に予め浸透することができ、吸収性基材（３０）若しくは適用ツール（２０）の１つ以上の区画（４０）のいずれかに予め充填されることができ、又はヘアトリートメント組成物（１５）は、吸収性基材（３０）の全体若しくは一部のみにおいて、又は適用ツールの区画（４０）中に使用する直前に適用できる。いずれの場合においても、ヘアトリートメント組成物（１５）は、同一であっても又は異なってもよい。本発明の一実施形態においては、吸収性基材（３０）は、使用しない際に吸収性基材（３０）自体を保護するための、及び／又はヘアトリートメント組成物（１５）を汚染から保護するための、剥離ライナーを備えていてよい。存在する場合、剥離ライナーは、吸収性基材（３０）又は適用ツール（２０）への使用後、剥離されてよい。剥離ライナーは、アルミニウム又はプラスチック（低密度ポリエチレン／アルミニウム積層体／ポリエチレンテレフタレート）可剥性ホイルであってよく、特に過酸化水素を含むヘアトリートメント組成物（１５）のために、耐ガス性材料で作製されてよい。吸収性基材（３０）が任意の適用ツール（２０）に取り付けられるとき、吸収性基材（３０）は、ねじ込み式キャップのような適用ツール（２０）自体に適用又は実装された密閉又は被覆手段によって、外的汚染から保護されることができ、これは、使用中、取り除かれるが、ヘアトリートメント組成物（１５）及び吸収性基材（３０）を保護するために、使用後、容易に再適用されてもよい。こうした密閉又はカバー手段は、使用中に適用ツール（２０）が置かれるとき、その中に含まれるヘアトリートメント組成物（１５）でユーザの家が汚染されるのを避けるのにも役立つ。
【０１１０】
５．ヘアトリートメント組成物の充填及び混合
本発明によれば、１つ以上のヘアトリートメント組成物（１５）を少なくとも１つの吸収性基材（３０）に充填してもよい。１つのみの吸収性基材（３０）が存在する実施形態においては、１つ以上のヘアトリートメント組成物（１５）は、吸収性基材（３０）の同一又は好ましくは、吸収性基材（３０）の異なる部分に適用されてよい。１超過の基材が存在する実施形態においては、吸収性基材（３０）は、同一でも又は異なってもよく、１つ以上のヘアトリートメント組成物（１５）は、各吸収性基材（３０）の同一又は異なる部分に適用されてよい。
【０１１１】
任意の適用ツール（２０）が存在するとき、ヘアトリートメント組成物（１５）は、適用ツール（２０）に、好ましくは適用ツールの別個の区画（４０）又は適用ツール（２０）の空きスペースに、充填されてよい。
【０１１２】
ヘアトリートメント組成物（１５）は、いずれかの手段によって、吸収性基材（３０）又は適用ツール（２０）に充填することができる。一実施形態では、ヘアトリートメント組成物（１５）は、図６に示すように、例えばボトルから、ヘアトリートメント組成物（１５）を適用することにより、吸収性基材（３０）内に直接充填される。
【０１１３】
別の実施形態においては、少なくとも１つの吸収性基材（３０）内へのヘアトリートメント組成物（１５）の適用に際し、吸収性基材（３０）に機械的圧力、好ましくは図１（左）に示されるようにユーザの指により加えられる圧力を加えると、その孔を通って流動することによって、ヘアトリートメント組成物（１５）が吸収性基材（３０）全体に均一に分配されることが可能になる。
【０１１４】
ヘアトリートメント組成物（１５）は、圧力により又は真空によって、充填されてよい。真空を使用する場合、吸収性基材（３０）内の空気をヘアトリートメント組成物（１５）で置換する。圧力の場合、ヘアトリートメント組成物（１５）は、空気ポンプ、ハンドベローズ（hand-bellows）等を用いて、吸収性基材（３０）内に、又は適用ツール（２０）の区画内に移動する。同一又は異なるヘアトリートメント組成物（１５）を、吸収性基材（３０）の異なる部分又は適用ツール（２０）の異なる区画（４０）に充填することができる。ヘアトリートメント組成物（１５）は、異なるときに充填されてよく、例えば、１つのヘアトリートメント組成物（１５）が充填され、ヘアトリートメント組成物（１５）が吸収性基材（３０）に均一に吸収されるときのみ、その後、第２の及び任意の更なるヘアトリートメント組成物（１５）もが適用される。
【０１１５】
ヘアトリートメント組成物（１５）を充填及び適用する上述の方法はいずれも、手動で又は、特に充填がヘアトリートメント適用システム（１０）の製造中に実行される場合、機械的に操作される機械によって、実行されることができる。１つ以上の方法を、同時に、又は次々に続いて採用してよい。別の実施形態においては、ヘアトリートメント組成物（１５）は、形成される真空又はより高い障壁積層体材料によって密封されるブリスタートレイに充填されてもよい。
【０１１６】
吸収性基材（３０）に適用されるヘアトリートメント組成物（１５）の量は、吸収性基材（３０）の寸法及び能力、ヘアトリートメント組成物（１５）の種類、及び所望の最終結果に依存するであろう。
【０１１７】
６．使用方法
本発明は、毛髪と、ヘアトリートメント適用システム（１０）とを接触させることによるヘアトリートメント方法に関する。毛髪と、ヘアトリートメント適用システム（１０）とを接触させることにより、ヘアトリートメント組成物（１５）は、毛髪に供給される。図６に示すように、ユーザは、吸収性基材の外側表面（３１）上にヘアトリートメント適用システム（１０）を保持してよい。吸収性基材（３０）の内側表面（３２）は、毛髪に接触する表面である。図１（右）に示すように、ユーザは、毛髪を吸収性基材（３０）の内側表面（３２）に接触させる。この動作を実行するために、図２に示すように、ユーザは、吸収性基材（３０）を、好ましくは根元ラインにおいて、毛髪に単に接触させ、ヘアトリートメント組成物（１５）をコーティングしてよい。さもなければ、図１に示すように、ユーザは、吸収性基材（３０）の外側表面（３１）を片手のみに保持しながら、好ましくはユーザは、吸収性基材（３０）を親指と人さし指の間に保持しながら、内側表面（３２）を毛髪ストランド（１１）に巻き付けることができるように、吸収性基材（３０）を、その寸法のうちの１つに沿って折ってよい。吸収性基材（３０）を毛髪ストランド（３０）、好ましくは根元ラインに保持しながら、選択された毛髪ストランド（１１）を他方の手で保持する。その後、図１に示すように、選択された毛髪ストランド（３０）の長さ全体に沿ってヘアトリートメント適用システム（hair treatment applicator system）（１０）を通すことによって、ヘアトリートメント組成物（１５）を適用する。
【０１１８】
図４及び５に示すような２つの吸収性基材（３０）を含むヘアトリートメント適用システム（１０）の実施形態においては、ユーザは、毛髪ストランド（１１）を選択し、好ましくは根元ラインにおいて、それを２つの吸収性基材（３０）間に設置する。吸収性基材（３０）を毛髪ストランド（１１）の周囲に固定し、その後、ヘアトリートメント組成物（１５）を適用するために、毛髪の長さに沿って先端まで動かす。本発明によるヘアトリートメント適用システム（１０）の一実施形態においては、第１吸収性基材（３０）及び第２吸収性基材（３０）が存在する。第１吸収性基材（３０）は第１ヘアトリートメント組成物（１５）を含み、第２吸収性基材（３０）は第２ヘアトリートメント組成物（１５）を含む。第１ヘアトリートメント組成物（１５）及び第２ヘアトリートメント組成物（１５）は、同一でも異なってもよい。好ましくは、第１ヘアトリートメント組成物（１５）及び第２ヘアトリートメント組成物（１５）が異なるとき、第１ヘアトリートメント組成物（１５）は、第２ヘアトリートメント組成物（１５）と反応して、第３ヘアトリートメント組成物（１５）を形成することが可能である。第１組成物（３０）及び第２組成物（３０）が接触すると、ヘアトリートメント組成物（１５）は、すぐに形成されてもよく又は更なる活性化工程が必要であってもよい。例えば、反応は、熱、水、圧力によって活性化されてもよい。水活性化の場合、吸収性基材（３０）間に設置する前に、毛髪に水を適用してよい。別の実施形態においては、吸収性基材（３０）自体が、毛髪ストランドに適用する前に、水と接触してよい。上述の活性化工程の組合せも予見できる。第１ヘアトリートメント組成物（１５）及び第２ヘアトリートメント組成物（１５）の混合は、ヘアトリートメント組成物（１５）の適用前に、第１吸収性基材（３０）及び第２吸収性基材（３０）を１回、好ましくは２回以上、圧縮及び圧搾することによって達成される。
【０１１９】
別の実施形態においては、本明細書において定義された２つの吸収性基材（３０）は、２枚のヒンジプレート（２２）に取り付けられ、その後、毛髪ストランド（１１）が選択され、２つの吸収性基材（３０）間に配置される。吸収性基材（３０）に充填されたヘアトリートメント組成物（１５）の適用、又は吸収性基材（３０）に充填されたヘアトリートメント組成物（１５）の混合は、図５に示すように、それらのヒンジ（５０）に対して特定の角度で揺り動かすように、両プレート（２２）の外表面（５１）に力を加えることによって達成される。２つのプレート（２２）を共に押圧することによるこの混合は、取り付けられた吸収性基材（３０）を圧縮及び圧搾し、そこに含有されるヘアトリートメント組成物（１５）を強制的に混合する。毛髪ストランド（１１）への適用を続行する前に、ヘアトリートメント組成物を均一に混合するために、この混合方法を、毛髪への適用前又は適用中に、必要に応じて何度でも実行することができる。この実施形態においては、第１プレート（２２）に取り付けられる吸収性基材（３０）は、過酸化水素系組成物が充填される領域として指定され、第２プレート（２２）に取り付けられる吸収性基材（３０）は、アルカリ化組成物が充填される領域として指定される。過酸化水素組成物及びアルカリ化組成物を共に混合すると、ハイライト組成物を形成する。過酸化水素組成物及びアルカリ化組成物が、異なる吸収性基材（３０）又はその異なる部分に充填される限り、どのプレート（２２）が第１プレート（２２）及び第２プレート（２２）に指定されるかは無関係である。
【０１２０】
一実施形態においては、第１ヘアトリートメント組成物（１５）は、単一の吸収性基材（３０）内に組み込まれることができ、好ましくは別個の吸収性基材（３０）上で、第１ヘアトリートメント組成物（１５）の適用とは別個に毛髪に適用される第２ヘアトリートメント組成物（１５）と反応することができる。第１ヘアトリートメント組成物（１５）及び第２ヘアトリートメント組成物（１５）は、毛髪への消費者適用の直前に又は毛髪への消費者適用の間に、物理的に共に接触されてよい。
【０１２１】
別の実施形態においては、第１ヘアトリートメント組成物（１５）は、クリーム、ムース、ゲル等のようなボトルから分与される従来の液体によって、又は追加のヘアトリートメントの従来デバイス又は本発明のヘアトリートメント適用システム（１０）にて適用され得る第２ヘアトリートメント組成物（１５）及び任意の更なるヘアトリートメント組成物（１５）に対する予備処理又は後処理として、吸収性基材（３０）から毛髪に適用される。
【０１２２】
図１及び２に示すように、本発明の吸収性基材（３０）は、固定された方式で毛髪に適用されることは意図されておらず、むしろ、剪断力を使用して毛髪表面に当てて動かされる、すなわち、個別の毛髪ストランドを通し、根元ラインに沿って擦り、毛髪に塗り込み、毛髪の表面を拭き、毛髪から引き抜く等であり、それにより必要に応じて毛髪の長さ全体に沿って均一にヘアトリートメント組成物（１５）を付着させる。
【０１２３】
ライナーが存在する実施形態においては、ユーザはライナーを剥離し、吸収性基材（３０）を充填し、ヘアトリートメント組成物（１５）を毛髪に適用する。適用中には、吸収性基材（３０）及びヘアトリートメント組成物（１５）を保護するために、又はユーザの家の家具をヘアトリートメント組成物（１５）で汚染するのを避けるために、１つ以上のライナーを再びシールすることができる。吸収性基材（３０）が製造業社により事前に充填され、その後ライナーでシールされる実施形態においては、ユーザは、ヘアトリートメント組成物（１５）の適用前にライナーを除去する。いったんライナーを除去したら、上述のようにそれを吸収性基材（３０）上に、又は任意の適用ツール（２０）内に充填することによって、ユーザは追加のヘアトリートメント組成物（１５）の使用又は適用を開始することができる。１つ以上のライナーを同時に剥離することができ、又は個別に順次剥離することができる。
【０１２４】
最後に、ヘアトリートメント組成物（１５）の適用は、濡れた毛髪又は乾いた毛髪にも実施されてよく、所望により、毛髪への第１組成物（１５）及びいずれの更なる組成物（１５）の適用の間に、すすぎ又はシャンプー工程を包含することができる。
【０１２５】
７．キット
本発明によるヘアトリートメント適用システム（１０）は、後述される単一の包装された容器を含むキットの一構成要素として提供されてよい。本発明によるキットは、シャンプー組成物、コンディショニング組成物、スタイリング組成物、毛髪着色剤組成物、毛髪漂白、ハイライト組成物、又はこれらの組合せを含む、個々に包装された１つ以上の組成物を含んでよい。本発明の一実施形態では、第１容器は、酸化染料前駆体及びアルカリ化剤と含んでよく、第２容器は、酸化剤を含んでよい。キットの他の特定の実施形態では、第１容器は、アルカリ化剤、好ましくはアンモニウムイオン源を含んでよく、第２容器は、酸化剤、好ましくは過酸化水素を含んでよい。酸化剤、コンディショナー、キレート剤、ラジカルスカベンジャー、溶媒、直接染料、シャンプー、緩衝剤、染色剤、増粘剤、酵素、アニオン性、非イオン性、両性、及びカチオン性界面活性剤、キャリア、酸化防止剤、安定剤、香料、マスキング芳香剤、ハーブ及び植物抽出物、真珠光沢剤（pearlescent）、不透明化剤、毛髪膨張剤及び／若しくはポリマー、保湿剤、湿潤剤、粘度増大剤、ゲル化剤、キレート化剤、ＵＶフィルタ、抗菌剤、防腐剤、タンパク質、又はこれらの混合物など、追加の構成成分を含む個々に包装された組成物のような、追加の容器がキット内に存在してよい。
【０１２６】
本発明によるキットは、毛髪ストランドを選択するための手段、本発明によるヘアトリートメント適用システム（１０）を充填するための手段、ヘアトリートメント組成物（１５）を混合するための手段、櫛若しくはブラシ、手袋、穴付きキャップ、ピンセット、トング、フック、又はこれらの組合せのような、追加の構成要素を更に含んでよい。
【０１２７】
一実施形態においては、本発明に従うキットは、本明細書に記載されるヘアトリートメント適用システム（１０）及び手袋を含む。他の実施形態では、キットは、酸化剤を含む個々に包装された組成物と、アルカリ化剤を含む個々に包装された組成物とを更に含む。好ましくはアルカリ化剤は、過硫酸塩を含む。
【０１２８】
特定の実施形態においては、本発明によるヘアトリートメント適用システム（１０）は、任意の適用ツール（２０）を備える。適用ツール（２０）は、組み立てて提供されてもよいが、組み立てられていない状態でキット内に設けられてもよく、本発明の組み立てられていない適用ツール（２０）の構築する方法についての説明書を、更に上述のキット内に提供されてよい。本発明によるヘアトリートメント適用システム（１０）を含むキットは、ヘアトリートメント適用システム（１０）を充填する及び／又は使用する方法を示している、消費者のための説明書を更に含んでよく、説明書は、キット自体のパッケージ、紙材料、コンパクトディスク、ＤＶＤ、又はヘアトリートメント適用システム（１０）自体、又は任意の適用ツール（２０）など、任意の種類の媒体に記録される。
【０１２９】
８．試験方法
メジアン細孔半径
本発明の目的で選択された吸収性基材の範囲にわたってメジアン細孔半径を測定する、単一の方法は存在しない。吸収性基材のメジアン細孔半径を、初めに、ＴＲＩオートポロシメータ（TRI Autoporosimeter）（商標）によって測定した。１０００ミクロンを上回って得られた値については、測定を光学イメージングによって繰り返し、光学イメージングによって得られた値を最終値として取得した。
【０１３０】
ＴＲＩオートポロシメータ（TRI Autoporosimeter）（商標）は、細孔半径及びそれらの対応する累積の細孔体積を測定するための自動化されたコンピュータ制御機器である（Ｂ．ミラー（B. Miller）及びＩ．トムキン（I. Tyomkin）、「コロイド及び境界面化学ジャーナル（Journal of Colloid and Interface Science）」、１６２、１９９４、１６３〜１７０）。サンプルのメジアン細孔半径は、吸収／脱離される流体の累積体積が試験サンプルの飽和容量の５０％に等しい、等価円筒半径である。等価円筒半径は、静水圧（５０％飽和時の圧力）を細孔半径と関連付けるラプラスの方程式（Ｉ）から得ることができる。
【０１３１】
【数１】
2010505502.tif 000007
式中、Ｒは、有効半径であり、γは、濡らしている液体の表面張力であり、θは、液体の前進接触角又は後退接触角であり、ΔＰは、サンプルをまたぐ静水頭圧力の圧力差である。メジアン等価細孔半径は、通常、脱離測定から決定され、θは、後退接触角である。５０％値が予め選択された等価半径に対応しない場合、それは、補間によって図から決定することができる。
【０１３２】
試験サンプルは、典型的には直径５０ｍｍであるが、モネル（Monel）支持プレートに取り付けられたミリポア（Millipore）ガラスフィルタ膜（孔隙度１．２ミクロン）上の測定セル内に置かれる。フィルタ膜及びモネル（Monel）金属支持体は、製造業者の推奨に従って調製され、エポキシ系塗料（スウェリン・ウイリアムズ社（Swerin-Williams Corp.）から入手可能なクライロン・ハイ・グロス（Krylon High Gloss））によって取り付けられる。試験サンプルが確実に流体試験膜と接触しているようにするために、測定は、０．６９ｋＰａ（０．１ｐｓｉ）の圧力を加えて（封圧重量）実施される。
【０１３３】
測定セルは、天秤の上に置かれた試験液体のリザーバに連結されている。ＴＲＩオートポロシメータ（TRI Autoporosimeter）（商標）は、吸収性基材を濡らすためにｎ−ヘキサデカンと共に使用される。吸収性基材によって吸収／脱離される液体の重量（体積）が、加えられる気圧の関数として天秤によって記録される。気圧が増減するにつれて、それぞれ、異なるサイズ半径群が、液体を脱離／吸収する。各群の半径体積は、移動した液体のこの体積に等しい。全てのサンプルが平衡状態に近い同一条件下で試験されることを保証するためには、以下のパラメータが推奨される。（ｉ）平衡定数（各圧力工程での液体流量）が９０ｍｇ／分未満である、（ｉｉ）所望の平衡定数値に達するまで天秤重量データが１５秒ごとに収集される。結果は、天秤上の流体重量（ｇ）の関数として、毛細管圧（ｃｍ）として与えられる。
【０１３４】
１０００ミクロンを超えるメジアン細孔半径を持つ試験サンプルを、光学イメージングによって確定した。約５０×５０ｍｍの試験サンプルを、デジタルカメラに接続されているオリンパス・ステレオ顕微鏡（Olympus Stereo-Microscope）内に置いた。暗視野照明技術を使用して、コントラストを高め、３Ｄ構造の視覚的外観を改善した。適用される倍率は、ａ）サンプルの構造を表す関心領域（ＲＯＩ）を得るように、並びに、ｂ）細孔径の信頼性の高い測定を可能にするように選択される。焦点を合わせられた全ての細孔の細孔面積を、ＲＯＩ内で手動で測定し、続いて、オリンパス・アナリシス（Olympus analySIS）ＦＩＶＥソフトウェアで解析して、等価円細孔半径の関数として累積表面細孔面積を得た。サンプルのメジアン細孔半径は、累積細孔面積が総表面細孔面積の５０％に等しい、等価円半径である。測定は、焦点面に対して完全に平行ではないが、視角（３Ｄ構造による）から観察される、細孔を包含する。
【０１３５】
メジアン細孔半径は、四捨五入してミクロン（μｍ）単位で報告した。本発明による吸収性基材のうちのいくつかのメジアン細孔半径及び他の技術的特徴を、以下の表５に提示する。表５は、本明細書において請求される仕様を満たさない吸収性基材も示す（表５において星印で示す）。
【０１３６】
吸収能力
吸収能力は、多孔質基材では、乾燥固体基材の単位質量当たりに吸収される液体の質量として定義された（例えば、「吸収技術（Absorbent Technology）」、チャタジー（Chatterjee）及びグプタ（Gupta）、エルゼビア（Elsevier）、２００２を参照）。
【０１３７】
【数２】
2010505502.tif 000008
式中、ρは、基材を構成する材料の密度であり、ρ1は、液体の密度であり（ここに記載の吸収能力では、純水の密度、すなわち１．００ｇ／ｃｍ3が使用される）、φは、１からρハ゛ルクをρで割った商を引いたものである（ρハ゛ルクは、多孔質基材のバルク密度）。多成分繊維／ブレンド及び非円筒状繊維では、加重平均固体繊維密度を使用した。結果は、基材１グラム当たりの流体のグラム数で報告した（ｇ／ｇ）。
【０１３８】
キャリパー
吸収性基材のキャリパーを、ＥＤＡＮＡ推奨試験方法（ＥＲＴ  ３０．５〜９９）−厚さ−によって決定した。精度０．０１ｍｍ、下降速度３ｍｍ／ｓ、測定圧力０．１ｋＰａのアブラムモデル（Abram Model）２０００マイクロメートルを使用した（テヒニッシュ・ベラトゥング・アブラム（Technische Beratung Abram GmbH））。同じ方法を適用して、発泡体基材のキャリパーを測定した。
【０１３９】
坪量
吸収性基材の坪量を、ＥＤＡＮＡ推奨試験方法（ＥＲＴ  ４０．３〜９０）−単位面積質量−によって確定した。１００×１００ｍｍの基材試験面積を、正確に切断し、計量した。結果を１平方メートル当たりのグラム数として報告した（ｇ／ｍ2）。同じ方法を適用して、発泡体の坪量を測定した。
【０１４０】
【表５】
2010505502.tif 000009
【０１４１】
ヘアトリートメント組成物の混合方法
本明細書に記載の吸収性基材への充填前に２つ以上のヘアトリートメント組成物が混合されるときには、以下の手順を使用してもよい。少なくとも２つのヘアトリートメント組成物を、これらは両方が液体であっても、１つが液体で１つが粉末であってもよいが、１：１０〜１０：１の間の重量比で容器に入れる。この容器は、様々な形態のもの、例えば、蓋付きボトル又は開いた区画であってよい。ボトルの場合、２つの組成物は、混合物が均質になるまで２分間にわたって振盪される。開いた区画の場合、２つの組成物は、均質な混合生成物を生成するのに十分な期間にわたって混合器具を用いて混合される。この方法によって生成される混合生成物は、２つの組成物が別個の吸収材料内に充填され、吸収材が押し合わされるにつれて混合されるときに得られるものと同じである。
【０１４２】
粘度測定試験方法
吸収性基材内に充填されるべきヘアトリートメント組成物の粘度を、円錐平板アタッチメントを備えたブルックフィールド（Brookfield）粘度計を使用して測定した。約０Ｐａ．ｓ（０ｃＰｓ）〜１２Ｐａ．ｓ（１２，０００ｃＰｓ）の範囲の粘度では、Ｓ４２平板を備えたブルックフィールド（Brookfield）ＤＶ−ＩＩ＋粘度計を使用した。２ｍＬのヘアトリートメント組成物又はカーボポール（Carbopol）（登録商標）９５６溶液のサンプルを、測定前に１分間にわたって２６．７℃で１ｒｐｍにおいて平衡させ、すぐに１ｒｐｍで値を読み取る。約１２Ｐａ．ｓ（１２，０００ｃＰｓ）の粘度値では、後述するように別の測定を実施する。
【０１４３】
１２Ｐａ．ｓ（１２，０００ｃＰｓ）〜約１００Ｐａ．ｓ（１００，０００ｃＰｓ）の範囲の粘度では、Ｓ５２平板を備えたブルックフィールド（Brookfield）ＤＶ−ＩＩ＋粘度を使用した。０．５ｍＬのヘアトリートメント組成物又はカーボポール（Carbopol）（登録商標）９５６溶液のサンプルを、測定前に１分間にわたって２６．７℃で１ｒｐｍにおいて平衡させ、すぐに１ｒｐｍで値を読み取る。この場合もやはり、上述で説明したように、１００Ｐａ．ｓ（１００，０００ｃＰｓ）の粘度値では、後述するように別の測定を実施する。
【０１４４】
１００〜１５０Ｐａ．ｓ（１００，０００〜１５０，０００ｃＰｓ）の範囲の粘度では、Ｓ５２平板を備えたブルックフィールド（Brookfield）ＤＶ−ＩＩ＋粘度計を使用する。０．５ｍＬのヘアトリートメント組成物又はカーボポール（Carbopol）（登録商標）９５６溶液のサンプルを、測定前に１分間にわたって２６．７℃で約０．５ｒｐｍにおいて平衡させ、すぐに０．５ｒｐｍで値を読み取る。
【０１４５】
最低粘度限界試験
以下の試験方法において使用される全ての吸収性基材は、約６ｍｍ〜約１０ｍｍのキャリパーを有する。ＢＢＡファイバーウェブ・テノテックス（Fiberweb Tenotex）Ｐ１０１及びフロイデンベルク（Freudenberg）ＡＬ  １０６０吸収性基材についての所要のキャリパーは、各表面上の直径約２ｍｍ以下の円形液滴に設置されたホットメルト接着剤によって、吸収性基材の多数重なったプライを積層することによって得られた。積層化は、吸収性基材の周囲で実施した。
【０１４６】
吸収性基材を、直径約３．５７ｃｍ（表面積１０．０ｃｍ2）の円形パッドに切り、計量し、約８０ｃｍ3のパイレックス（Pyrex）（登録商標）ブフナー漏斗（フィッシャー（Fisher）から入手可能、コードＦＰＪ−４００−１１０Ｄ）の直径４ｃｍの焼結ガラスディスク上に置いた。カーボポール（Carbopol）（登録商標）９５６溶液を吸収性基材上に約１ｃｍの深さまで慎重に添加し、その後、漏斗の開口部に嵌入する単一の穴ゴム栓が取り付けられたハンドベロー（hand bellow）を膨らませ、それを使用して流体を約１分間にわたって吸収性基材内に押し込んだ。このように充填された吸収性基材を、ピンセットによって漏斗から慎重に除去した。２層の実験室用ティッシュペーパーを台上に置き、充填された吸収性基材（ピンセットで取り扱われる）で約３０ｃｍの距離にわたってティッシュの上を慎重になで、次いで、吸収性基材をひっくり返し、他の側部についても繰り返すことにより、過剰な表面流体を除去した。充填された吸収性基材を計量し、３Ｍ両面テープを用いて直径約４．９７ｃｍの円形試験プレート（剛性白色アセタール製）の平らな側部上の中央に固定した。反対側のプレートには、２枚のプレートの表面が平行で垂直に圧縮されるときに吸収材が約３ｍｍ圧縮されるように適切に選択された、３つの真鍮ピンを取り付けた。真鍮ピンの高さは、ＢＢＡファイバーウェブ・テノテックス（Fiberweb Tenotex）Ｐ１０１及びリベルテックス（Libeltex）０１−７６６  ＤＩ−８については約３ｍｍに設定し、レクティセル・ブルプレン（Recticel Bulpren）Ｓ２８２８０については約７ｍｍとした。真鍮ピンを含有するプレートを、その表面を実験台に垂直にし、及び最も低い位置にある４番目の空のピン穴を最上部の真鍮ピンに対して鉛直にして、秤量ボートの上方にしっかり固定した。次いで、吸収性基材を含有するプレートを、約１分間にわたってピンプレートに対して垂直に圧縮した。秤量トレイの重量と、滴り落ちたヘアトリートメント組成物若しくはカーボポール（Carbopol）（登録商標）９５６溶液の重量とを記録し、圧縮中に滴り落ちた充填された全流体のパーセンテージを計算した。測定は、実験ごとに３回繰り返した。
【０１４７】
最低粘度限界の決定：消費者パネリスト調査
リベルテックス（Libeltex）０１−７６６  ＤＩ−８吸収性基材を、直径約３．５７ｃｍ（表面積１０．０ｃｍ2）の２枚の円形パッドに切り、上述のように、約１Ｐａ．ｓ（１，０００ｃＰｓ）、約２．５Ｐａ．ｓ（２，５００ｃＰｓ）、又は約５Ｐａ．ｓ（５，０００ｃＰｓ）の粘度を有するカーボポール（Carbopol）（登録商標）９５６溶液を充填した。充填されたリベルテックス（Libeltex）０１−７６６  ＤＩ−８吸収性基材を、３Ｍ両面テープを用いて２枚のヒンジプレートの中央に固定した。パネリストは、このように調製された適用ツールを与えられ、重量約０．７５ｇ、長さ約３０．５ｃｍの人毛の束（コーカシアン・ライト・ブラウン（Caucasion Light Brown）−インターナショナル・ヘア・インポーツ・アンド・プロダクツ（International Hair Imports and Products）、ニューヨーク州バルハラ（Valhalla））を２回通すように求められた。その性能を、「あなたがたった今使用したサンプルを考えた場合、その扱いにくさをどのようにランク付けしますか？」という質問で評価した。回答を尺度０〜８にランク付けした（０＝まったく扱いにくくない、８＝極めて扱いにくい）。
【０１４８】
最小メジアン細孔半径限界試験
吸収性基材サンプル（ＢＢＡファイバーウェブ・テノテックス（Fiberweb Tenotex）Ｐ１０１、フロイデンベルク（Freudenberg）ＡＬ  １０６０、リベルテックス（Libeltex）０１−７６６  ＤＩ−８、ＰＧＩ  ＦＢ−２１５、及びレクティセル・ブルプレン（Recticel Bulpren）Ｓ２８２８０）を、直径２．５３ｃｍ（表面積約５．０３ｃｍ2）の円形パッドに切り、計量し、３０ｃｍ3デュラン・フィルタ・アセンブリ（Duran Filter Assembly）（デュラン参照（Duran reference）２４．７２０／２４）内の焼結ガラスフィルタディスク上に置いた。次いで、露出した吸収材が直径約１．８ｃｍ（約２．５４ｃｍ2）を有するように、バイトン（Viton）リングを吸収性基材上に置いた。デュラン・フィルタ・アセンブリ（Duran Filter Assembly）が取り付けられ、吸収障害を避けてガラスヘッドの側部をつたわせてゆっくり添加することにより、約１ｃｍの深さまでカーボポール（Carbopol）（登録商標）９５６溶液で満たした。次いで、追加のカーボポール（Carbopol）（登録商標）９５６溶液を、目盛りの付けられた３０ｃｍ3の印までガラスヘッド内に注いだ。約５分後、残っている流体を取り出し、吸収性基材をピンセットで除去した。吸収性基材で、それぞれの側部について、２層の実験室用ティッシュペーパーの上を約３０ｃｍの距離だけ慎重になでることにより、過剰な表面流体を除去した。充填量（吸収性基材１グラム当たりのカーボポール（Carbopol）（登録商標）９５６溶液のグラム数）を、以下のように、露出された吸収性基材（表面積約２．５４ｃｍ2）の重量に基づいて計算し、小数第２位まで報告した。
【０１４９】
【数３】
2010505502.tif 000010
式中、ＡＳは、吸収性基材を意味する。
【０１５０】
最高粘度限界試験
レクティセル・ポットスコアラー（Recticel Pottscorer）４１０及びレクティセル・ブルプレン（Recticel Bulpren）Ｓ２８２８０発泡体を、直径３．５７ｃｍ（表面積１０．０ｃｍ2）の２枚の円形パッドに切り、最低粘度限界試験方法の決定で記載したように、１００Ｐａ．ｓ（１００，０００ｃＰｓ）カーボポール（Carbopol）（登録商標）９５６溶液を充填した。次いで、充填されたパッドを、３Ｍ両面テープを用いて、直径４．９７ｃｍの２枚の試験プレートの平らな側部上の中央に固定した。プレートのうちの１つは、３つの１２ｍｍピンを備えており、充填されたレクティセル・ポットスコアラー（Recticel Pottscorer）４１０発泡体の表面を実験台に垂直にし、及び４番目の空のピン穴を最も低い位置にして、そのプレートをクランプスタンド上にしっかり固定した。０．７５ｇの毛束（幅３ｃｍへと扇形に広げられた長さ３０．５ｃｍ）を、ピンプレート上のレクティセル・ポットスコアラー（Recticel Pottscorer）４１０及びレクティセル・ブルプレン（Recticel Bulpren）Ｓ２８２８０発泡体と第２の平行プレートとの間で垂直に圧縮した。毛束の全長が通過するのに３秒かかるように、毛髪を圧縮された発泡体の間に２回通した。これを、異なる第２及び第３の毛束で繰り返した。上述の各実験を３回繰り返した。毛束の重量を記録し、結果を、毛髪１グラム当たりに付着したカーボポール（Carbopol）（登録商標）９５６溶液のグラム数として計算した。
【０１５１】
９．実施例
１つ以上の代表的な吸収性基材内への組み込むためのいくつかの代表的なヘアトリートメント組成物について以下で説明する。以下の諸実施例の吸収性基材は、所望により、適用ツールに接着させることができる。好ましくは、吸収性基材は、吸収性基材を互いに向き合わせて、ヒンジで１つに連結された表面積約１２．５ｃｍ2の２枚の射出成形ポリプロピレンプレート上に実装される。
【０１５２】
実施例Ａ：吸収性基材によって過酸化物及びアルカリ化組成物を使用する毛髪のハイライト処理
約１２．５ｃｍ2の２枚の円形ディスクを、約１５０グラム毎平方メートルのポリエステル嵩高詰綿不織布基材（ベルギーのリベルテックス（Libeltex）から入手可能な０１−７６６  ＤＩ−８；ニュージャージーのＰＧＩから入手可能なＦＢ−２１５）から切断する。また、ポリウレタンスポンジ（ベルギーのレクティセル・インターナショナル（Recticel International）から入手可能なブルプレン（Bulpren）Ｓ２８２８０をこの実施例で採用してよい。
【０１５３】
【表６】
2010505502.tif 000011
【０１５４】
過酸化組成物（１）を調製するために使用されるカーボポール（Carbopol）（登録商標）９５６は、手でゆっくり添加することにより、又はエダクター若しくは粉末の急速水和用の同様のデバイスを用いて、均質になるまで急速混合している水中で水和される。この実施例は、特に、過酸化及びアルカリ化組成物（１）及び（２）のための増粘剤としてカーボポール（Carbopol）（登録商標）９５６を報告するが、他の増粘剤も考慮される。次いで、過酸化水素が、過剰な気泡を系内に取り入れないように、中等度に混合しながら添加される。次いで、５０％水酸化ナトリウムが、ｐＨを指示された値に調節するように必要に応じて滴状添加される。所望により、スズ酸ナトリウムなどの追加の過酸化安定剤を、過早な過酸化物分解の可能性を更に低減するために添加してもよい。過酸化組成物（１）が調製された後には、上述の試験方法に従って粘度が測定される。
【０１５５】
アルカリ化組成物（２）は、手でゆっくり添加することにより、又はエダクター若しくは粉末の急速水和用の同様のデバイスを用いて、カーボポール（Carbopol）（登録商標）９５６を急速混合している水中で水和させることによって生成される。カーボポール（Carbopol）（登録商標）９５６が完全に分散して均質であるときには、水酸化アンモニウム又は重炭酸アンモニウムが、過剰な気泡の取り込みを避けるために中等度に混合しながら添加される。バッチは、アルカリ化剤の添加によって濃くなり、透明になる。アルカリ化組成物（２）が調製された後には、上述の試験方法に従って粘度が測定される。
【０１５６】
約４グラムの過酸化組成物（１）が、２枚の吸収性基材ディスクのうちの一方に充填され、約４グラムのアルカリ化組成物（２）が他方の吸収性基材ディスク内に充填される。組成物は、吸収性基材の完全性を犠牲にすることなく組成物の大部分が基材に完全に吸収されることを確実にするために、ピペット又はシリンジで優しく機械的に押圧しながらピペット又はシリンジで吸収性基材表面全体に均一に適用することによって充填される。
【０１５７】
プレートは、吸収性基材を圧縮及び圧搾するように、また過酸化組成物（１）とアルカリ化組成物（２）とを十分に混合するように、２〜１０回押し合わされる。
【０１５８】
ヘアトリートメント適用システムの準備ができたら、それを使用して、後述するヘアトリートメント試験に従って毛髪を処理する。このように処理された毛髪は、対照毛髪トレスに比べて、視覚的に明るい。
【０１５９】
ヘアトリートメント試験
長さ約３０．５ｃｍ、重量約０．８グラムの人毛のトレス（コーカシアン・ライト・ブラウン（Caucasion Light Brown）−インターナショナル・ヘア・インポーツ・アンド・プロダクツ（International Hair Imports and Products）、ニューヨーク州バルハラ（Valhalla））を、毛髪ストランドの一端をプラスチックケーブルタイによって毛髪端部から約２ｃｍで縛り、更に電気工事用テープの３ｃｍストリップで固定することによって準備する。この毛髪トレスを、ステンレス鋼スロット付きホルダに吊るす。次いで、毛髪トレスの最上部を、トレスがプレートに取り付けられた２つの吸収性基材間にくるようにヘアトリートメント適用システムと接触させる。次いで、プレートを重ねられた状態に維持しながら、ヘアトリートメント適用システムを毛髪トレスの端部へと引く。適用は、２回繰り返してよい。その上にヘアトリートメント組成物を約０．３〜約０．８グラム付着させた、得られる毛髪トレスを、次いで、秤量ボート上に置き、約３０分間にわたって約３０℃でオーブン内に置く。次いで、毛髪トレスを水ですすぎ、乾燥させる。
【０１６０】
実施例Ｂ：吸収性基材によって過酸化物及び酸化染料組成物を使用する毛髪の着色ハイライト
吸収性基材を、上述の実施例Ａに記載のように調製する。
【０１６１】
【表７】
2010505502.tif 000012
【０１６２】
カーボポール（Carbopol）（登録商標）９５６とグリセリンとを組み合せ、均質なスラリーが得られるまで混合することにより、過酸化組成物（３）を生成する。脱イオン水を、バッチ全体を収めるのに十分なサイズの別個の容器内に満たす。スラリーを、ゆっくり水に導入し、安定で均質な組成物が観察されるまで中等度に撹拌しながら混合する。次いで、過酸化水素が、過剰な気泡を系内に取り入れないように、中等度に混合しながら添加される。次いで、水酸化ナトリウムが、ｐＨを約３．５まで増大させるように滴状添加される。所望により、スズ酸ナトリウムなどの追加の過酸化安定剤を、過早な過酸化物分解の可能性を更に低減するために添加してもよい。
【０１６３】
酸化染料及びアルカリ化組成物（４）は、手でゆっくり添加することにより、又はエダクター若しくは粉末の急速水和用の類似のデバイスを用いて、カーボポール（Carbopol）（登録商標）９５６を急速混合している水中で水和させることによって生成される。カーボポール（Carbopol）（登録商標）９５６が完全に分散して均質であるときには、エタノールアミンを除いた残りの全ての成分が添加される（すなわち、グリセリン、染料前駆体、ｐＨ緩衝剤、及び酸化防止剤）。それらが溶解したら、過剰な気泡の取り込みを避けるように、中等度に混合しながらエタノールアミンが添加される。バッチは、アルカリ化剤の添加によって濃くなり、透明になる。毛髪トレスが、ヘアトリートメント試験で上述したように処理される。処理されたトレスでは、対照毛髪トレスに比べて、明るい銅の色合いが視覚的に確定された。
【０１６４】
実施例Ｃ：吸収性基材によって過硫酸塩及び過酸化組成物を使用する毛髪ハイライト
吸収性基材を、上述の実施例Ａに記載のように調製する。
【０１６５】
約６グラムの過酸化組成物（３）を、スパチュラによって秤量ボート内で約４グラムの過硫酸塩粉末５と混合する。得られる混合物約４グラムを、それぞれの吸収性基材内に充填し、毛髪トレスをヘアトリートメント試験で上述したように処理する。
【０１６６】
【表８】
2010505502.tif 000013
【０１６７】
実施例Ｂにおいて上述したように、過酸化物組成物（３）を調製する。全ての成分を、任意の順序で、Ｖ−ブレンダーのような好適なブレンド装置内にて乾燥ブレンドすることによって、過硫酸塩粉末を製造する。組成物は、均質になるまで混ぜ合わせるべきである。次いで、このように形成された過硫酸塩粉末は、過酸化組成物（３）と予め混合される。混合は、ボトル、ボウル、又はトレイ内で実施してよく、成分は、振盪又は撹拌によって混ぜ合わされる。得られる組成物は、吸収性基材内に充填され、次いで毛髪に適用される。
【０１６８】
この毛髪ハイライト組成物は、わずかな時間で高いレベルの脱色効果を提供することができる。得られる毛髪トレスは、ミノルタ・スペクトグラフ（Minolta Spectograph）で確定したときに、対照毛髪トレスに比べて、顕著な漂白を受けていた。
【０１６９】
実施例Ｄ：吸収性基材によって直接染料組成物又は酸化染料を備えた過酸化組成物を使用する根元のタッチアップ
正方形片（約２５ｃｍ2）を、約１５０グラム毎平方メートルのポリエステル嵩高詰綿不織布基材のロール（ベルギーのリベルテックス（Libeltex）から入手可能な０１−７６６  ＤＩ−８）から切断する。吸収材片を、３Ｍ両面テープによって、厚さ１ｍｍの透明ポリエチレンフィルムの約６×６ｃｍ片の中央に接着させる。約７．５グラムの直接染料組成物（６）を、ピペット又はシリンジを使用して、計量器上の吸収性基材内に充填する（吸収性基材１平方メートル当たり３，０００グラムの直接染料組成物（６））。直接染料組成物（６）を、直接染料組成物（６）の大部分が基材に完全に吸収されることを確実にするために、ピペット又はシリンジで優しく機械的に押しながら吸収性基材表面全体に均等に適用する。次いで、手袋をした指でポリエチレン側に触れ、吸収性基材側を毛髪根元ライン全体にすり込みながら、ポリエチレンフィルムに接着された得られる充填された吸収性基材を、マネキン頭部（サロンズ・ダイレクト（Salons Direct）（プロ・ヘア（Pro-hair））から入手可能）の根元ラインにすり込む。得られるマネキン頭部を、３０分間放置し、次いですすぎ、シャンプーする。マネキン頭部の根元ライン（root-line）は、明るい茶色に着色されていた。
【０１７０】
【表９】
2010505502.tif 000014
【０１７１】
根元のタッチアップは、上述の正確な手順を用いることによって、ただし、実施例Ｂで上述したように、約４グラムの過酸化組成物（３）と、約４グラムの酸化染料及びアルカリ化組成物（４）とを予め混合して、酸化染料によって達成することができる。得られた混合物の約７．５グラムの量を、上述のように吸収性基材に充填する。得られる組成物は、根元ラインのところで上述のようにマネキン頭部に適用される。組成物除去後、明るい茶色の着色が観察された。
【０１７２】
本明細書で選択された粘度を有する他のヘアトリートメント組成物及び化粧品組成物の非限定的な追加の例を、以下で例示する。
【０１７３】
【表１０】
2010505502.tif 000015
【０１７４】
【表１１】
2010505502.tif 000016
【０１７５】
【表１２】
2010505502.tif 000017
*１  セチルアルコール：新日本理化（Shin Nihon Rika）から入手可能なコノル（Konol）シリーズ。
*２  ステアリルアルコール：新日本理化（Shin Nihon Rika）から入手可能なコノル（Konol）シリーズ。
*３  ステアルアミドプロピルジメチルアミン：イノレックス（Inolex）から入手可能なＳＡＰＤＭＡ。
*４  ジンクピリチオン：オリン（Olin）から入手可能なジンクピリチオンＵ／２。
【０１７６】
【表１３】
2010505502.tif 000018
【０１７７】
本明細書に開示される寸法及び値は、列挙される数値そのものに厳密に限定されるものとして理解されるべきではない。それよりむしろ、特に規定がない限り、こうした各寸法は、列挙された値とその値周辺の機能的に同等の範囲との両方を意味することを意図している。例えば、「４０ｍｍ」として開示された寸法は、「約４０ｍｍ」を意味することを意図する。
【図１】
2010505502.tif 000019
【図２】
2010505502.tif 000020
【図３】
2010505502.tif 000021
【図４】
2010505502.tif 000022
【図５】
2010505502.tif 000023
【図６】
2010505502.tif 000024
【国際調査報告】
2010505502.tif 000025
2010505502.tif 000026
2010505502.tif 000027